(57)【要約】関節炎患者支援１人展開用キャノピは、調節可能リングキャノピと、中心交差部分と、折り畳み可能上部トラスと、上部トラスコネクタと、折り畳み可能コーナートラスと、折り畳み可能側面トラスと、４つの上側コーナー交差部分と、４つの上側支柱と、４つの下側コーナー交差部分と、４つの関節炎患者支援フックと、４つの下側支柱と、支柱高さ調節孔と、調節可能中心キャノピと、中心支柱と、中心支柱において形成されている中心支柱孔と、中心内面係止ばねと、中心支柱の内側にリベット留めされる関節炎患者支援自己センタリングばね負荷筐体係止フックと、関節炎患者支援中心ワンプッシュ係止調節可能筐体とを備えている。
2021535296.tif 000002
【特許請求の範囲】
【請求項１】
関節炎患者支援１人展開用調節可能中心キャノピ・調節可能リングキャノピ・ロール可能中心ワンプッシュ係止ポップアップであって、前記ポップアップは、
調節可能リングキャノピであって、前記調節可能リングキャノピは、天候要素からユーザを保護するためのカバーを提供し、前記調節可能リングキャノピの上方の風および煙を前記ポップアップの中に向け直し、前記ポップアップの下から外にかつ離れるように流動するように風および煙を向け直し、光が前記ポップアップの中に入り込むことを可能にする、調節可能リングキャノピと、
中心交差部分と、
複数の折り畳み可能上部トラスであって、前記複数の折り畳み可能上部トラスは、それぞれ、前記中心交差部分に旋回可能にボルト留めされ、それぞれ、前記調節可能リングキャノピに取り付けられている、複数の折り畳み可能上部トラスと、
複数の上部トラスコネクタであって、前記複数の上部トラスコネクタは、それぞれ、前記折り畳み可能上部トラスに旋回可能にボルト留めされている、複数の上部トラスコネクタと、
複数の折り畳み可能コーナートラスであって、前記複数の折り畳み可能コーナートラスは、それぞれ、前記折り畳み可能上部トラスに旋回可能にボルト留めされている、複数の折り畳み可能コーナートラスと、
複数の折り畳み可能側面トラスと、
４つの上側コーナー交差部分であって、前記４つの上側コーナー交差部分は、それぞれ、前記折り畳み可能上部トラスに旋回可能にボルト留めされ、それぞれ、前記折り畳み可能側面トラスに旋回可能にボルト留めされている、４つの上側コーナー交差部分と、
４つの上側支柱であって、前記４つの上側支柱は、各々、上側支柱底部端を有し、前記４つの上側支柱は、それぞれ、前記４つの上側コーナー交差部分に取り付けられている、４つの上側支柱と、
４つの下側コーナー交差部分であって、前記４つの下側コーナー交差部分は、それぞれ、前記４つの上側支柱上でスライドさせられ、それぞれ、前記折り畳み可能コーナートラスにボルト留めされ、それぞれ、前記折り畳み可能側面トラスにボルト留めされ、前記４つの下側コーナー交差部分は、複数の交差部分孔を有し、前記交差部分孔は、それぞれ、前記４つの下側コーナー交差部分内に成型されている、４つの下側コーナー交差部分と、
４つのスリーブであって、前記４つのスリーブは、それぞれ、前記４つの上側支柱の前記上側支柱底部端上でスライドさせられる、４つのスリーブと、
４つの関節炎患者支援支柱高さ調節ばね負荷ロープループフックであって、前記ロープループフックは、それぞれ、前記４つのスリーブに旋回可能に取り付けられている、４つの関節炎患者支援支柱高さ調節ばね負荷ロープループフックと、
４つの支柱高さ調節ニップルであって、それぞれ、前記関節炎患者支援支柱高さ調節ばね負荷ロープループフックに成型されている、４つの支柱高さ調節ニップルと、
４つの下側支柱であって、前記４つの下側支柱は、各々、下側支柱底部端を有し、
前記４つの下側支柱は、それぞれ、前記４つの上側支柱の内側にスライド可能に挿入され、前記４つのスリーブは、前記４つの上側支柱と前記４つの下側支柱とが互いにこすり合うことを防止する、４つの下側支柱と、
複数の支柱高さ調節孔であって、前記複数の支柱高さ調節孔は、それぞれ、前記４つの上側支柱および前記４つの下側支柱において削孔され、前記関節炎患者支援高さ調節ばね負荷ロープループフックは、前記４つの支柱高さ調節ニップルを前記支柱高さ調節孔の中に押し、前記４つの上側支柱を前記４つの下側支柱に固定し、自身の指を折り畳む必要性を伴わずに前記関節炎患者支援支柱高さ調節ばね負荷ロープループフックを動作させるためにそれを押す能力を関節炎患者に与えるための追加のてこの作用を提供する、複数の支柱高さ調節孔と、
調節可能中心キャノピであって、前記調節可能中心キャノピは、前記ポップアップの中心を覆い、前記調節可能リングキャノピの上方の風および煙を前記ポップアップの中に向け直し、前記ポップアップの下から外にかつ離れるように流動するように風および煙を向け直し、光が前記ポップアップの中に入り込むことを可能にする、調節可能中心キャノピと、
中心支柱であって、前記中心支柱は、前記中心交差部分に取り付けられている、中心支柱と、
中心支柱孔であって、前記中心支柱孔は、前記中心支柱において形成されている、中心支柱孔と、
中心内面係止ばねであって、前記中心内面係止ばねは、前記中心支柱の内側に挿入されている、中心内面係止ばねと、
関節炎患者支援自己センタリングばね負荷筐体係止フックであって、前記ばね負荷筐体係止フックは、前記中心支柱の内側に旋回可能にリベット留めされ、前記中心内面係止ばねは、前記関節炎患者支援自己センタリングばね負荷筐体係止フックを前記中心支柱孔の中に押している、関節炎患者支援自己センタリングばね負荷筐体係止フックと、
関節炎患者支援中心ワンプッシュ係止調節可能筐体であって、
前記筐体は、外面と内面と筐体端部とを有し、
前記関節炎患者支援自己センタリングばね負荷筐体係止フックは、
前記関節炎患者支援中心ワンプッシュ係止調節可能筐体が前記中心支柱の上下にスライドするとき、前記関節炎患者支援中心ワンプッシュ係止調節可能筐体の中にスナップ係止し、その中で自己センタリングし、
前記関節炎患者支援中心ワンプッシュ係止調節可能筐体は、
調節可能かつスライド可能に前記中心支柱上に係止され、それから係止解除され、
前記関節炎患者支援中心ワンプッシュ係止調節可能筐体が前記中心支柱の上下にスライドするとき、前記関節炎患者支援自己センタリングばね負荷筐体係止フックのスナップ係止をオンおよびオフにし、
前記中心支柱を前記関節炎患者支援中心ワンプッシュ係止調節可能筐体に、およびそれから係止および係止解除し、
前記ポップアップが、折り畳まれた後、または広げられた後、前記ポップアップを係止および係止解除し、
前記関節炎患者支援中心ワンプッシュ係止調節可能筐体が前記４つの上側支柱を外向きに押し、前記４つの上側支柱を定位置に係止するように上向きに押されると、前記ポップアップが１人の人物によって折り畳まれることおよび広げられることを可能にする、
関節炎患者支援中心ワンプッシュ係止調節可能筐体と、
引き込み漏斗であって、前記引き込み漏斗は、前記関節炎患者支援中心ワンプッシュ係止調節可能筐体の前記筐体端部に成型されている、引き込み漏斗と、
ボタントンネルであって、前記ボタントンネルは、前記関節炎患者支援中心ワンプッシュ係止調節可能筐体の前記外面から前記内面まで成型されている、ボタントンネルと、
関節炎患者支援テーパ状楔ボタンであって、前記テーパ状楔ボタンは、前記ボタントンネルの中にスナップ嵌めされ、前記ボタントンネルから外に前記関節炎患者支援自己センタリングばね負荷筐体係止フックを押し、自身の指を折り畳む必要性なしに前記中心支柱から前記関節炎患者支援自己センタリングばね負荷筐体係止フックを係合解除するための押す能力を関節炎患者に与える、関節炎患者支援テーパ状楔ボタンと、
複数の折り畳み可能調節可能中心トラスであって、前記中心トラスは、それぞれ、前記折り畳み可能上部トラスに旋回可能にボルト留めされ、それぞれ、前記関節炎患者支援中心ワンプッシュ係止調節可能筐体に旋回可能にボルト留めされ、それぞれ、前記調節可能中心キャノピに取り付けられている、複数の折り畳み可能調節可能中心トラスと、
複数の旋回ねじ山付きキャスタピンであって、前記複数の旋回ねじ山付きキャスタピンは、それぞれ、前記４つの下側支柱の前記下側支柱底部端の中にねじ式で取り付けられている、複数の旋回ねじ山付きキャスタピンと、
複数の車輪係止フックと
複数の滑車軸および係止車輪ブレースであって、
前記車輪係止フックは、それぞれ、前記滑車軸および係止車輪ブレースに旋回可能に接続され、
前記滑車軸および係止車輪ブレースは、それぞれ、前記旋回ねじ山付きキャスタピンに取り付けられ、前記ポップアップが折り畳まれ、または展開されるとき、関節炎患者が自身の指を折り畳む必要性なしに前記ポップアップを任意の方向に移動させることを可能にする、
複数の滑車軸および係止車輪ブレースと、
複数の車輪ギヤと、
複数のペグばねと、
複数のギヤ係止ペグと、
複数の関節炎患者支援滑車軸であって、前記複数の関節炎患者支援滑車軸は、それぞれ、前記滑車軸および係止車輪ブレースに、それらの間で回転可能に取り付けられ、前記ロープをその上に巻きつけるための滑車として機能し、前記ロープを引っ張り、前記調節可能リングキャノピを引き伸ばすために必要とされるロープ引っ張り力を低減させ、前記衝撃吸収係止車輪をその上に回転可能に取り付けるための車軸として機能する、複数の関節炎患者支援滑車軸と、
複数の衝撃吸収係止車輪であって、複数の衝撃吸収係止車輪は、それぞれ、前記関節炎患者支援滑車軸に回転可能に取り付けられ、
車輪として機能し、前記ポップアップが輸送および保管のために地面または表面に沿って転がされることを可能にし、
車輪として機能し、前記ポップアップが砂地の表面に沿って転がされることを可能にし、
車輪として機能し、
前記ポップアップが凸凹である、または平らではない地形上で転がされることを可能にし、
前記車輪ギヤは、それぞれ、前記衝撃吸収係止車輪に成型され、前記車輪ギヤの間に前記ギヤ係止ペグを係止し、
前記ペグばねは、それぞれ、前記ギヤ係止ペグ上でスライドさせられ、前記車輪ギヤから離れるように前記ギヤ係止ペグを押し、
前記ギヤ係止ペグは、それぞれ、前記滑車軸および係止車輪ブレースに旋回可能に取り付けられ、前記車輪ギヤの間でそれらを押し、前記車輪ギヤを定位置に係止し、
前記関節炎患者支援車輪係止ばね負荷ロープループフックは、前記衝撃吸収係止車輪を係止し、所望されると、前記衝撃吸収係止車輪が転がることを防止する、
複数の衝撃吸収係止車輪と
を備えている、関節炎患者支援１人展開用調節可能中心キャノピ・調節可能リングキャノピ・ロール可能中心ワンプッシュ係止ポップアップ。
【請求項２】
複数のロープをさらに備え、前記複数のロープは、
それぞれ、前記調節可能リングキャノピに縫い付けられ、
それぞれ、前記関節炎患者支援滑車軸の下および周囲に通され、
それぞれ、前記関節炎患者支援車輪係止ばね負荷ロープループフックまたは前記関節炎患者支援支柱高さ調節ばね負荷ロープループフックに引っ掛けられている、
請求項１に記載の関節炎患者支援１人展開用調節可能中心キャノピ・調節可能リングキャノピ・ロール可能中心ワンプッシュ係止ポップアップ。
【請求項３】
複数の支柱センタリングクランプであって、前記複数の支柱センタリングクランプは、それぞれ、前記４つのスリーブに成型され、前記４つの上側支柱の内側で前記４つの下側支柱を中心に置く、複数の支柱センタリングクランプと、
複数のダニ防止下向き歯であって、前記複数のダニ防止下向き歯は、それぞれ、前記４つのスリーブに成型され、前記４つの上側支柱および前記４つの下側支柱の内側にダニが入ることを防止する、複数のダニ防止下向き歯と、
複数の水排出溝であって、前記複数の水排出溝は、それぞれ、前記４つのスリーブに成型され、水が前記４つの上側支柱および前記４つの下側支柱から外に排出されることを可能にする、複数の水排出溝と
をさらに備えている、
請求項１に記載の関節炎患者支援１人展開用調節可能中心キャノピ・調節可能リングキャノピ・ロール可能中心ワンプッシュ係止ポップアップ。
【請求項４】
前記衝撃吸収係止車輪は、衝撃吸収材料から作製されている、
請求項１に記載の関節炎患者支援１人展開用調節可能中心キャノピ・調節可能リングキャノピ・ロール可能中心ワンプッシュ係止ポップアップ。
【請求項５】
前記関節炎患者支援１人展開用調節可能中心キャノピ・調節可能リングキャノピ・ロール可能中心ワンプッシュ係止ポップアップは、金属、プラスチック、キャンバス、織物、ナイロン、またはそれらの組み合わせから作製されている、
請求項１に記載の関節炎患者支援１人展開用調節可能中心キャノピ・調節可能リングキャノピ・ロール可能中心ワンプッシュ係止ポップアップ。
【請求項６】
関節炎患者支援１人展開用ロール可能中心ワンプッシュ係止ポップアップであって、前記ポップアップは、
関節炎患者支援１人展開用調節可能中心キャノピ・調節可能リングキャノピ・ロール可能中心ワンプッシュ係止ポップアップであって、前記ポップアップは、
調節可能リングキャノピであって、前記調節可能リングキャノピは、天候要素からユーザを保護するためのカバーを提供し、前記調節可能リングキャノピの上方の風および煙を前記ポップアップの中に向け直し、前記ポップアップの下から外にかつ離れるように流動するように風および煙を向け直し、光が前記ポップアップの中に入り込むことを可能にする、調節可能リングキャノピと、
中心交差部分と、
複数の折り畳み可能上部トラスであって、前記複数の折り畳み可能上部トラスは、それぞれ、前記中心交差部分に旋回可能にボルト留めされ、それぞれ、前記調節可能リングキャノピに取り付けられている、複数の折り畳み可能上部トラスと、
複数の上部トラスコネクタであって、前記複数の上部トラスコネクタは、それぞれ、前記折り畳み可能上部トラスに旋回可能にボルト留めされている、複数の上部トラスコネクタと、
複数の折り畳み可能コーナートラスであって、前記複数の折り畳み可能コーナートラスは、それぞれ、前記折り畳み可能上部トラスに旋回可能にボルト留めされている、複数の折り畳み可能コーナートラスと、
複数の折り畳み可能側面トラスと、
４つの上側コーナー交差部分であって、前記４つの上側コーナー交差部分は、それぞれ、前記折り畳み可能上部トラスに旋回可能にボルト留めされ、それぞれ、前記折り畳み可能側面トラスに旋回可能にボルト留めされている、４つの上側コーナー交差部分と、
４つの上側支柱であって、前記４つの上側支柱は、各々、上側支柱底部端を有し、前記４つの上側支柱は、それぞれ、前記４つの上側コーナー交差部分に取り付けられている、４つの上側支柱と、
４つの下側コーナー交差部分であって、前記４つの下側コーナー交差部分は、それぞれ、前記４つの上側支柱上でスライドさせられ、それぞれ、前記折り畳み可能コーナートラスにボルト留めされ、それぞれ、前記折り畳み可能側面トラスにボルト留めされ、前記４つの下側コーナー交差部分は、複数の交差部分孔を有し、前記交差部分孔は、それぞれ、前記４つの下側コーナー交差部分内に成型されている、４つの下側コーナー交差部分と、
４つのスリーブであって、前記４つのスリーブは、それぞれ、前記４つの上側支柱の前記上側支柱底部端上でスライドさせられる、４つのスリーブと、
４つの支柱高さ調節ニップルであって、前記４つの支柱高さ調節ニップルは、それぞれ、前記４つのスリーブに旋回可能に取り付けられている、４つの支柱高さ調節ニップルと、
４つの下側支柱であって、前記４つの下側支柱は、各々、下側支柱底部端を有し、
前記４つの下側支柱は、それぞれ、前記４つの上側支柱の内側にスライド可能に挿入され、前記４つのスリーブは、前記４つの上側支柱と前記４つの下側支柱とが互いにこすり合うことを防止する、４つの下側支柱と、
複数の支柱高さ調節孔であって、前記複数の支柱高さ調節孔は、それぞれ、前記４つの上側支柱および前記４つの下側支柱において削孔され、前記４つの支柱高さ調節ニップルを前記支柱高さ調節孔の中に押し、前記４つの上側支柱を前記４つの下側支柱に固定するためのものである、複数の支柱高さ調節孔と、
調節可能中心キャノピであって、前記調節可能中心キャノピは、前記ポップアップの中心を覆い、前記調節可能リングキャノピの上方の風および煙を前記ポップアップの中に向け直し、前記ポップアップの下から外にかつ離れるように流動するように風および煙を向け直し、光が前記ポップアップの中に入り込むことを可能にする、調節可能中心キャノピと、
中心支柱であって、前記中心支柱は、前記中心交差部分に取り付けられている、中心支柱と、
中心支柱孔であって、前記中心支柱孔は、前記中心支柱において形成されている、中心支柱孔と、
中心内面係止ばねであって、前記中心内面係止ばねは、前記中心支柱の内側に挿入されている、中心内面係止ばねと、
関節炎患者支援自己センタリングばね負荷筐体係止フックであって、前記ばね負荷筐体係止フックは、前記中心支柱の内側に旋回可能にリベット留めされ、前記中心内面係止ばねは、前記関節炎患者支援自己センタリングばね負荷筐体係止フックを前記中心支柱孔の中に押している、関節炎患者支援自己センタリングばね負荷筐体係止フックと、
関節炎患者支援中心ワンプッシュ係止調節可能筐体であって、
前記筐体は、外面と内面と筐体端部とを有し、
前記関節炎患者支援自己センタリングばね負荷筐体係止フックは、
前記関節炎患者支援中心ワンプッシュ係止調節可能筐体が前記中心支柱の上下にスライドするとき、前記関節炎患者支援中心ワンプッシュ係止調節可能筐体の中にスナップ係止し、その中で自己センタリングし、
前記関節炎患者支援中心ワンプッシュ係止調節可能筐体は、
調節可能かつスライド可能に前記中心支柱上に係止され、それから係止解除され、
前記関節炎患者支援中心ワンプッシュ係止調節可能筐体が前記中心支柱の上下にスライドするとき、前記関節炎患者支援自己センタリングばね負荷筐体係止フックのスナップ係止をオンおよびオフにし、
前記中心支柱を前記関節炎患者支援中心ワンプッシュ係止調節可能筐体に、およびそれから係止および係止解除し、
前記ポップアップが、折り畳まれた後、または広げられた後、前記ポップアップを係止および係止解除し、
前記関節炎患者支援中心ワンプッシュ係止調節可能筐体が前記４つの上側支柱を外向きに押し、前記４つの上側支柱を定位置に係止するように上向きに押されると、前記ポップアップが１人の人物によって折り畳まれることおよび広げられることを可能にする、
関節炎患者支援中心ワンプッシュ係止調節可能筐体と、
引き込み漏斗であって、前記引き込み漏斗は、前記関節炎患者支援中心ワンプッシュ係止調節可能筐体の前記筐体端部に成型されている、引き込み漏斗と、
ボタントンネルであって、前記ボタントンネルは、前記関節炎患者支援中心ワンプッシュ係止調節可能筐体の前記外面から前記内面まで成型されている、ボタントンネルと、
関節炎患者支援テーパ状楔ボタンであって、前記テーパ状楔ボタンは、前記ボタントンネルの中にスナップ嵌めされ、前記ボタントンネルから外に前記関節炎患者支援自己センタリングばね負荷筐体係止フックを押し、自身の指を折り畳む必要性なしに前記中心支柱から前記関節炎患者支援自己センタリングばね負荷筐体係止フックを係合解除するための押す能力を関節炎患者に与える、関節炎患者支援テーパ状楔ボタンと、
複数の折り畳み可能調節可能中心トラスであって、前記中心トラスは、それぞれ、前記折り畳み可能上部トラスに旋回可能にボルト留めされ、それぞれ、前記関節炎患者支援中心ワンプッシュ係止調節可能筐体に旋回可能にボルト留めされ、それぞれ、前記調節可能中心キャノピに取り付けられている、複数の折り畳み可能調節可能中心トラスと、
複数の旋回ねじ山付きキャスタピンであって、前記複数の旋回ねじ山付きキャスタピンは、それぞれ、前記４つの下側支柱の前記下側支柱底部端の中にねじ式で取り付けられている、複数の旋回ねじ山付きキャスタピンと、
複数の車輪係止フックと
複数の滑車軸および係止車輪ブレースであって、
前記車輪係止フックは、それぞれ、前記滑車軸および係止車輪ブレースに旋回可能に接続され、
前記滑車軸および係止車輪ブレースは、それぞれ、前記旋回ねじ山付きキャスタピンに取り付けられ、前記ポップアップが折り畳まれ、または展開されるとき、関節炎患者が自身の指を折り畳む必要性なしに前記ポップアップを任意の方向に移動させることを可能にする、
複数の滑車軸および係止車輪ブレースと、
複数の車輪ギヤと、
複数のペグばねと、
複数のギヤ係止ペグと、
複数の関節炎患者支援滑車軸であって、前記複数の関節炎患者支援滑車軸は、それぞれ、前記滑車軸および係止車輪ブレースに、それらの間で回転可能に取り付けられ、前記ロープをその上に巻きつけるための滑車として機能し、前記ロープを引っ張り、前記調節可能リングキャノピを引き伸ばすために必要とされるロープ引っ張り力を低減させ、前記衝撃吸収係止車輪をその上に回転可能に取り付けるための車軸として機能する、複数の関節炎患者支援滑車軸と、
複数の衝撃吸収係止車輪であって、複数の衝撃吸収係止車輪は、それぞれ、前記関節炎患者支援滑車軸に回転可能に取り付けられ、
車輪として機能し、前記ポップアップが輸送および保管のために地面または表面に沿って転がされることを可能にし、
車輪として機能し、前記ポップアップが砂地の表面に沿って転がされることを可能にし、
車輪として機能し、
前記ポップアップが凸凹である、または平らではない地形上で転がされることを可能にし、
前記車輪ギヤは、それぞれ、前記衝撃吸収係止車輪に成型され、前記車輪ギヤの間に前記ギヤ係止ペグを係止し、
前記ペグばねは、それぞれ、前記ギヤ係止ペグ上でスライドさせられ、前記車輪ギヤから離れるように前記ギヤ係止ペグを押し、
前記ギヤ係止ペグは、それぞれ、前記滑車軸および係止車輪ブレースに旋回可能に取り付けられ、前記車輪ギヤの間でそれらを押し、前記車輪ギヤを定位置に係止し、
前記関節炎患者支援車輪係止ばね負荷ロープループフックは、前記衝撃吸収係止車輪を係止し、所望されると、前記衝撃吸収係止車輪が転がることを防止する、
複数の衝撃吸収係止車輪と
を備えている、関節炎患者支援１人展開用ロール可能中心ワンプッシュ係止ポップアップ。
【請求項７】
複数のロープをさらに備え、前記複数のロープは、
それぞれ、前記調節可能リングキャノピに縫い付けられ、
それぞれ、前記関節炎患者支援滑車軸の下および周囲に通され、
それぞれ、前記関節炎患者支援車輪係止ばね負荷ロープループフックに引っ掛けられている、請求項６に記載の関節炎患者支援１人展開用ロール可能中心ワンプッシュ係止ポップアップ。
【請求項８】
複数の支柱センタリングクランプであって、前記複数の支柱センタリングクランプは、それぞれ、前記４つのスリーブに成型され、前記４つの上側支柱の内側で前記４つの下側支柱を中心に置く、複数の支柱センタリングクランプと、
複数のダニ防止下向き歯であって、前記複数のダニ防止下向き歯は、それぞれ、前記４つのスリーブに成型され、前記４つの上側支柱および前記４つの下側支柱の内側にダニが入ることを防止する、複数のダニ防止下向き歯と、
複数の水排出溝であって、前記複数の水排出溝は、それぞれ、前記４つのスリーブに成型され、水が前記４つの上側支柱および前記４つの下側支柱から外に排出されることを可能にする、複数の水排出溝と
をさらに備えている、請求項６に記載の関節炎患者支援１人展開用ロール可能中心ワンプッシュ係止ポップアップ。
【請求項９】
前記衝撃吸収係止車輪は、衝撃吸収材料から作製されている、請求項６に記載の関節炎患者支援１人展開用ロール可能中心ワンプッシュ係止ポップアップ。
【請求項１０】
関節炎患者支援中心ワンプッシュ係止ポップアップであって、前記ポップアップは、
調節可能リングキャノピであって、前記調節可能リングキャノピは、天候要素からユーザを保護するためのカバーを提供し、前記調節可能リングキャノピの上方の風および煙を前記ポップアップの中に向け直し、前記ポップアップの下から外にかつ離れるように流動するように風および煙を向け直し、光が前記ポップアップの中に入り込むことを可能にする、調節可能リングキャノピと、
中心交差部分と、
複数の折り畳み可能上部トラスであって、前記複数の折り畳み可能上部トラスは、それぞれ、前記中心交差部分に旋回可能にボルト留めされ、それぞれ、前記調節可能リングキャノピに取り付けられている、複数の折り畳み可能上部トラスと、
複数の上部トラスコネクタであって、前記複数の上部トラスコネクタは、それぞれ、前記折り畳み可能上部トラスに旋回可能にボルト留めされている、複数の上部トラスコネクタと、
複数の折り畳み可能コーナートラスであって、前記複数の折り畳み可能コーナートラスは、それぞれ、前記折り畳み可能上部トラスに旋回可能にボルト留めされている、複数の折り畳み可能コーナートラスと、
複数の折り畳み可能側面トラスと、
４つの上側コーナー交差部分であって、前記４つの上側コーナー交差部分は、それぞれ、前記折り畳み可能上部トラスに旋回可能にボルト留めされ、それぞれ、前記折り畳み可能側面トラスに旋回可能にボルト留めされている、４つの上側コーナー交差部分と、
４つの上側支柱であって、前記４つの上側支柱は、各々、上側支柱底部端を有し、前記４つの上側支柱は、それぞれ、前記４つの上側コーナー交差部分に取り付けられている、４つの上側支柱と、
４つの下側コーナー交差部分であって、前記４つの下側コーナー交差部分は、それぞれ、前記４つの上側支柱上でスライドさせられ、それぞれ、前記折り畳み可能コーナートラスにボルト留めされ、それぞれ、前記折り畳み可能側面トラスにボルト留めされ、前記４つの下側コーナー交差部分は、複数の交差部分孔を有し、前記交差部分孔は、それぞれ、前記４つの下側コーナー交差部分内に成型されている、４つの下側コーナー交差部分と、
４つのスリーブであって、前記４つのスリーブは、それぞれ、前記４つの上側支柱の前記上側支柱底部端上でスライドさせられる、４つのスリーブと、
４つの支柱高さ調節ニップルであって、前記４つの支柱高さ調節ニップルは、それぞれ、前記４つのスリーブに旋回可能に取り付けられている、４つの支柱高さ調節ニップルと、
４つの下側支柱であって、前記４つの下側支柱は、各々、下側支柱底部端を有し、
前記４つの下側支柱は、それぞれ、前記４つの上側支柱の内側にスライド可能に挿入され、前記４つのスリーブは、前記４つの上側支柱と前記４つの下側支柱とが互いにこすり合うことを防止する、４つの下側支柱と、
複数の支柱高さ調節孔であって、前記複数の支柱高さ調節孔は、それぞれ、前記４つの上側支柱および前記４つの下側支柱において削孔され、前記４つの支柱高さ調節ニップルを前記支柱高さ調節孔の中に押し、前記４つの上側支柱を前記４つの下側支柱に固定するためのものである、複数の支柱高さ調節孔と、
調節可能中心キャノピであって、前記調節可能中心キャノピは、前記ポップアップの中心を覆い、前記調節可能リングキャノピの上方の風および煙を前記ポップアップの中に向け直し、前記ポップアップの下から外にかつ離れるように流動するように風および煙を向け直し、光が前記ポップアップの中に入り込むことを可能にする、調節可能中心キャノピと、
中心支柱であって、前記中心支柱は、前記中心交差部分に取り付けられている、中心支柱と、
中心支柱孔であって、前記中心支柱孔は、前記中心支柱において形成されている、中心支柱孔と、
中心内面係止ばねであって、前記中心内面係止ばねは、前記中心支柱の内側に挿入されている、中心内面係止ばねと、
関節炎患者支援自己センタリングばね負荷筐体係止フックであって、前記ばね負荷筐体係止フックは、前記中心支柱の内側に旋回可能にリベット留めされ、前記中心内面係止ばねは、前記関節炎患者支援自己センタリングばね負荷筐体係止フックを前記中心支柱孔の中に押している、関節炎患者支援自己センタリングばね負荷筐体係止フックと、
関節炎患者支援中心ワンプッシュ係止調節可能筐体であって、
前記筐体は、外面と内面と筐体端部とを有し、
前記関節炎患者支援自己センタリングばね負荷筐体係止フックは、
前記関節炎患者支援中心ワンプッシュ係止調節可能筐体が前記中心支柱の上下にスライドするとき、前記関節炎患者支援中心ワンプッシュ係止調節可能筐体の中にスナップ係止し、その中で自己センタリングし、
前記関節炎患者支援中心ワンプッシュ係止調節可能筐体は、
調節可能かつスライド可能に前記中心支柱上に係止され、それから係止解除され、
前記関節炎患者支援中心ワンプッシュ係止調節可能筐体が前記中心支柱の上下にスライドするとき、前記関節炎患者支援自己センタリングばね負荷筐体係止フックのスナップ係止をオンおよびオフにし、
前記中心支柱を前記関節炎患者支援中心ワンプッシュ係止調節可能筐体に、およびそれから係止および係止解除し、
前記ポップアップが、折り畳まれた後、または広げられた後、前記ポップアップを係止および係止解除し、
前記関節炎患者支援中心ワンプッシュ係止調節可能筐体が前記４つの上側支柱を外向きに押し、前記４つの上側支柱を定位置に係止するように上向きに押されると、前記ポップアップが１人の人物によって折り畳まれることおよび広げられることを可能にする、
関節炎患者支援中心ワンプッシュ係止調節可能筐体と、
ボタントンネルであって、前記ボタントンネルは、前記関節炎患者支援中心ワンプッシュ係止調節可能筐体の前記外面から前記内面まで成型されている、ボタントンネルと、
関節炎患者支援テーパ状楔ボタンであって、前記テーパ状楔ボタンは、前記ボタントンネルの中にスナップ嵌めされ、前記ボタントンネルから外に前記関節炎患者支援自己センタリングばね負荷筐体係止フックを押し、自身の指を折り畳む必要性なしに前記中心支柱から前記関節炎患者支援自己センタリングばね負荷筐体係止フックを係合解除するための押す能力を関節炎患者に与える、関節炎患者支援テーパ状楔ボタンと、
複数の折り畳み可能調節可能中心トラスであって、前記中心トラスは、それぞれ、前記折り畳み可能上部トラスに旋回可能にボルト留めされ、それぞれ、前記関節炎患者支援中心ワンプッシュ係止調節可能筐体に旋回可能にボルト留めされ、それぞれ、前記調節可能中心キャノピに取り付けられている、複数の折り畳み可能調節可能中心トラスと、
複数の旋回ねじ山付きキャスタピンであって、前記複数の旋回ねじ山付きキャスタピンは、それぞれ、前記４つの下側支柱の前記下側支柱底部端の中にねじ式で取り付けられている、複数の旋回ねじ山付きキャスタピンと、
複数の車輪係止フックと
複数の滑車軸および係止車輪ブレースであって、
前記車輪係止フックは、それぞれ、前記滑車軸および係止車輪ブレースに旋回可能に接続され、
前記滑車軸および係止車輪ブレースは、それぞれ、前記旋回ねじ山付きキャスタピンに取り付けられ、前記ポップアップが折り畳まれ、または展開されるとき、関節炎患者が自身の指を折り畳む必要性なしに前記ポップアップを任意の方向に移動させることを可能にする、
複数の滑車軸および係止車輪ブレースと、
複数の車輪ギヤと、
複数のペグばねと、
複数のギヤ係止ペグと、
複数の関節炎患者支援滑車軸であって、前記複数の関節炎患者支援滑車軸は、それぞれ、前記滑車軸および係止車輪ブレースに、それらの間で回転可能に取り付けられ、前記ロープをその上に巻きつけるための滑車として機能し、前記ロープを引っ張り、前記調節可能リングキャノピを引き伸ばすために必要とされるロープ引っ張り力を低減させ、前記衝撃吸収係止車輪をその上に回転可能に取り付けるための車軸として機能する、複数の関節炎患者支援滑車軸と、
複数の衝撃吸収係止車輪であって、複数の衝撃吸収係止車輪は、それぞれ、前記関節炎患者支援滑車軸に回転可能に取り付けられ、
車輪として機能し、前記ポップアップが輸送および保管のために地面または表面に沿って転がされることを可能にし、
車輪として機能し、前記ポップアップが砂地の表面に沿って転がされることを可能にし、
車輪として機能し、
前記ポップアップが凸凹である、または平らではない地形上で転がされることを可能にし、
前記車輪ギヤは、それぞれ、前記衝撃吸収係止車輪に成型され、前記車輪ギヤの間に前記ギヤ係止ペグを係止し、
前記ペグばねは、それぞれ、前記ギヤ係止ペグ上でスライドさせられ、前記車輪ギヤから離れるように前記ギヤ係止ペグを押し、
前記ギヤ係止ペグは、それぞれ、前記滑車軸および係止車輪ブレースに旋回可能に取り付けられ、前記車輪ギヤの間でそれらを押し、前記車輪ギヤを定位置に係止し、
前記関節炎患者支援車輪係止ばね負荷ロープループフックは、前記衝撃吸収係止車輪を係止し、所望されると、前記衝撃吸収係止車輪が転がることを防止する、
複数の衝撃吸収係止車輪と
を備えている、関節炎患者支援中心ワンプッシュ係止ポップアップ。
【請求項１１】
複数のロープをさらに備え、前記複数のロープは、
それぞれ、前記調節可能リングキャノピに縫い付けられ、
それぞれ、前記関節炎患者支援滑車軸の下および周囲に通され、
それぞれ、前記関節炎患者支援車輪係止ばね負荷ロープループフックに引っ掛けられている、請求項１０に記載の関節炎患者支援中心ワンプッシュ係止ポップアップ。
【請求項１２】
複数の支柱センタリングクランプであって、前記複数の支柱センタリングクランプは、それぞれ、前記４つのスリーブに成型され、前記４つの上側支柱の内側で前記４つの下側支柱を中心に置く、複数の支柱センタリングクランプと、
複数のダニ防止下向き歯であって、前記複数のダニ防止下向き歯は、それぞれ、前記４つのスリーブに成型され、前記４つの上側支柱および前記４つの下側支柱の内側にダニが入ることを防止する、複数のダニ防止下向き歯と、
複数の水排出溝であって、前記複数の水排出溝は、それぞれ、前記４つのスリーブに成型され、水が前記４つの上側支柱および前記４つの下側支柱から外に排出されることを可能にする、複数の水排出溝と
をさらに備えている、請求項１０に記載の関節炎患者支援中心ワンプッシュ係止ポップアップ。
【請求項１３】
前記ロープは、キャンバス、織物、またはナイロンから作製されている、請求項１１に記載の関節炎患者支援中心ワンプッシュ係止ポップアップ。
【請求項１４】
前記衝撃吸収係止車輪は、金属、プラスチック、またはそれらの組み合わせから作製されている、請求項１０に記載の関節炎患者支援中心ワンプッシュ係止ポップアップ。
【請求項１５】
前記衝撃吸収係止車輪は、衝撃吸収材料から作製されている、請求項１０に記載の関節炎患者支援中心ワンプッシュ係止ポップアップ。
【発明の詳細な説明】
【技術分野】
【０００１】
本発明は、生産のために安価であり、１つのユニットとして出荷することが容易であり、いかなる組立も要求せず、迅速かつ容易に広げられ得る折り畳み式ポップアップに関する。特に、本発明は、関節炎患者支援１人展開用調節可能中心キャノピ・調節可能リングキャノピ・ロール可能中心ワンプッシュ係止ポップアップに関し、それは、以下を備えている：
１）関節炎患者支援支柱センタリング・ダニ防止・水排出・風および煙向け直し調節可能リングキャノピシステム
２）関節炎患者支援中心内面係止・風および煙向け直し・調節可能中心キャノピシステム
３）関節炎患者支援多機能フック滑車軸車輪キャスタシステム
【背景技術】
【０００２】
いくつかの折り畳み式ポップアップが、導入されている。
【０００３】
１９３９年３月２８日にＭａｘ  Ｅ．  Ｇｏｔｔｌｉｅｂに発行された米国特許第２，１５１，９０８号は、チャペルテントに関し、特に、葬儀中に墓地で使用される折り畳みタイプの折り畳み式テントに関する。この発明の目的は、容易に輸送されるようにコンパクトに折り畳まれるが、補助的で面倒なアンカを用いることなく、あらゆる種類の悪天候に耐えるために十分に頑丈であろう言及される目的のために好適なシェルタテントを提供することである。
【０００４】
１９４１年１２月９日にＤｗｉｇｈｔ  Ｇｏｏｄｍａｎに発行された米国特許第２，２６５，４７９号は、主として、チャペルテントに関するが、売店のための一時的シェルタにおいて、およびディスプレイテント等としても明らかに有用である。この発明の目的は、輸送のためにコンパクトな様式で容易に折り畳まれ得るが、あらゆる種類の悪天候にもかかわらず設営条件を維持するために十分に強いテントフレームの提供にある。
【０００５】
１９６３年４月１６日にＥｌｏｎ  Ｄ．  ＭｃＤｏｎｏｕｇｈに発行された米国特許第３，０８５，５８６号は、折り畳み可能フレームとそのフレームのための可撓性カバーとを採用するタイプのポータブル構造に言及している。この発明の目的は、大きいエリアのためのエンクロージャを形成するように適合され、その構造が経済的かつ軽量構造体であり、コンパクトな保管および輸送のために容易に折り畳まれ、かつ分解され得る折り畳み可能構造を提供することである。
【０００６】
１９６５年８月１０日にＨｅｒｍａｎ  Ａ．  Ｇｌｉｄｅｗｅｌｌに発行された米国特許第３，１９９，５１８号は、好適なカバー材料がそれを覆って設置されるとシェルタとして採用され得る折り畳み式かつ折り畳み可能フレームを説明している。デバイスは、主として、ハンティング用ブラインドを提供するために、それを覆ってカモフラージュ材料が設置され得る折り畳み式フレームとして意図されるが、当然ながら、天候に対する防護を提供するために、それを覆って任意の所望のカバー材料（ターポリン等）が設置され得るフレームとして採用され得る。
【０００７】
１９８８年１０月２５日にＪａｍｅｓ  Ｐ．  Ｌｙｎｃｈに発行された米国特許第４，７７９，６３５号は、キャノピ構造を実証し、キャノピ構造は、フレームワークユニットおよび可撓性カバーを提供され、それらを含む。フレームワークユニットは、複数の直立コーナー部材と、複数の屋根支持部材とによって形成され、屋根支持部材は、コーナー部材の上部端において旋回可能に接続され、起立位置において、それらが互いに旋回可能に接続される中心頂点まで上向きかつ内向きに延びている。
【０００８】
１９８９年１２月１２日にＪａｍｅｓ  Ｐ．  Ｌｙｎｃｈに発行された米国特許第４，８８５，８９１号は、折り畳み式キャノピ構造において利用され得るような伸縮可能シザーズトラスに関し、伸縮可能シザーズトラスは、トラスセルを形成するように旋回可能に接続された部材を有する。補強部材は、Ｚ様構成を形成するようにリンク機構によって接合された第１および第２の端部部分を有する。
【０００９】
１９９１年７月３０日にＡｌｌａｎ  Ｄ．  Ｂｏｒｔｌｅｓに発行された米国特許第５，０３５，２５３号は、テントキャノピから流出水を収集するための雨水流出オーニングを実証している。織物が、キャノピフレームに取り付けられる、外向きに延びているアームの間で延伸され、それに固定される。織物が、キャノピから流出水を受け取り、キャノピの入口および出口エリアから離れるように流出水を向けるために、キャノピの縁に沿って排水溝または樋を形成する。
【００１０】
１９９３年９月１４日にＪａｍｅｓ  Ｐ．  Ｌｙｎｃｈに発行された米国特許第５，２４４，００１号は、保管のために折り畳まれ、使用のために、特に、カバーがフレームワークの上に設置されているときにキャノピとして拡張させられ得る拡張可能フレームワーク構造を説明している。フレームワークは、複数の直立支持体と、直立支持体の隣接するそれらを相互接続する複数の縁シザーズアセンブリとを含む。
【００１１】
１９９６年４月３０日にＭａｒｋ  Ｃ．  Ｃａｒｔｅｒに発行された米国特許第５，５１１，５７２号は、トラスとキャノピフレームワークとを含む折り畳み式シェルタを説明し、キャノピフレームワークは、可撓性折り畳み式キャノピが上昇位置と下降位置との間で移動させられることを可能にする。折り畳み式シェルタは、少なくとも３つの脚部を含み、少なくとも３つの脚部は、脚部の上部に取り外し可能に搭載される可撓性ポールを支持し、キャノピのフレームワークを形成する。リンク部材のＸ形トラス対が、隣接する脚部間のシェルタの各側で脚部の各々に接続される。
【００１２】
１９９７年６月１７日にＴｏｎｙ  Ｍ．  Ｌ．  Ｔｓａｉに発行された米国特許第５，６３８，８５３号は、正方形構造を形成する４つのシザーズタイプリンク機構によって相互接続された４つのポールと、４つの中間旋回接続部材とを含むテント構造を実証している。各ポールは、固定コネクタとスライドコネクタとを備えている。
【００１３】
２０００年１１月７日にＴｈｅｏｄｏｒｅ  Ｒ．  Ｚｅｉｇｌｅｒに発行された米国特許第６，１４１，９３４号は、折り畳みフレームシステムを描写しており、折り畳みフレームシステムは、少なくとも３つの旋回可能に取り付けられる支材対を含む屋根アセンブリを含み、少なくとも３つの旋回可能に取り付けられる支材対のうちの隣接する対は、屋根アセンブリの少なくとも３つのコーナーを画定する。屋根アセンブリは、少なくとも３つの支材対の支材が互いに平行に配置される屋根アセンブリ閉鎖位置と、少なくとも３つの支材対の支材が非平行位置に係止され、少なくとも３つの支材対のうちの各支材対の支材の端部が長方形を画定する屋根アセンブリ開放位置との間で移動可能である。
【００１４】
２００１年９月４日にＦｅｎｇｃｈｕｎ  Ｃｈｅｎに発行された米国特許第６，２８３，１３６号は、テントの上部における上部接続手段と、複数の直立脚部と、各直立脚部上でスライド可能に受け取られるスライド部と、上部接続手段に旋回可能に接続される上側屋根支持棒材と、下側屋根支持棒材とを備えている折り畳み式テントに言及し、下側屋根支持棒材の各々は、一方の端部においてそのそれぞれの上側屋根支持棒材に接続され、他方の端部においてそのそれぞれの直立脚部の上部に接続される。
【００１５】
２００７年２月２０日にＭａｒｋ  Ｃ．  Ｃａｒｔｅｒに発行された米国特許第７，１７８，５４２号は、リンク部材の伸縮可能外周アセンブリによって一緒に接続される複数の脚部を含む軽量起立可能キャノピシェルタを実証している。一実施形態では、屋根構造は、シェルタを横断して延びているように脚部の上端に旋回可能に搭載されるポール部材によって形成され、下降位置と上昇させられた上向きにアーチ状の位置との間で移動可能である。
【００１６】
２０１０年１１月２３日にＭａｒｋ  Ｃ．  Ｃａｒｔｅｒに発行された米国特許第７，８３６，９０７号は、迅速に起立可能なドームシェルタに言及し、ドームシェルタは、隣接する脚部間に接続されるリンク部材を伴う伸縮可能外周トラスアセンブリと、リンク部材の中心トラスアセンブリと、屋根フレームワークとを含み、屋根フレームワークは、湾曲した上側および下側ピークトラス部材の対を含み、ドームシェルタは、下降させられた折り畳まれた構成と上昇させられた上向きにアーチ状の位置との間で移動可能である。
【００１７】
２０１３年４月１６日にＢｕｍｊｕｎ  Ｐａｒｋに発行された米国特許第８，４１８，７１１号は、折り畳み式キャノピ支持体を実証し、キャノピ支持体は、キャノピを支持するための梁を含み、各梁は、梁を形成するために一緒に結合される複数の細長い梁セグメントを有する。セグメント結合器が、第１の梁セグメントを第２の梁セグメントに旋回可能に結合することを提供する。セグメント係止アセンブリが、第２の梁セグメントに対して第１の梁セグメントを選択的に固定するために適合される。
【００１８】
２０１４年７月１５日にＢｕｍｊｕｎ  Ｐａｒｋに発行された米国特許第８，７７６，８１５号は、脚部と、トラスシステムと、カバーと、カバー支持ロッドと、搭載ブラケットとを含む折り畳み式シェルタアセンブリに関する。脚部の各々は、上端と、下端とを有する。トラスシステムは、脚部の各対を一緒に連結し、基部外周を画定するように構成される。
【００１９】
２０１６年１２月２７日にＪａｃｋ  Ｂ．  Ｌｏｖｌｅｙ，ＩＩに発行された米国特許第９，５２８，２９２号は、外周フレーム部分と、中心フレーム部分と、複数の脚部とを有するフレームアセンブリを含むキャノピに言及している。フレームアセンブリは、１つ以上の張り出しフレーム部分も含み、それらの各々は、主要張り出しフレーム部材と、支材とを含むことができる。各張り出しフレーム部分は、フレームアセンブリの関連付けられるコーナーから斜めに延びていることができる。
【００２０】
２０１７年１月３１日にＤａｖｉｄ  Ｌｅｗｉｓ  Ｈｕｎｔに発行された米国特許第９，５５６，６３９号は、本明細書に開示されるポータブルシェルタ枠組システムに言及している。ポータブルシェルタ枠組システムは、複数のコーナー支持部材と、複数の交差梁部材とを含み、交差梁部材の各々は、ツールの使用を伴わずに複数のコーナー支持部材の対間に接続されるように構成される。
【００２１】
２０１７年６月２０日にＪａｃｋ  Ｂ  Ｌｏｖｌｅｙ，ＩＩに発行された米国特許第９，６８３，３８７号は、特に、連結点回りの曲げ力を受けるときの増加させられた構造完全性のためのキャノピシェルタ連結点に関する。キャノピシェルタ連結点は、２つの交差部材間の増加させられた重複距離、隣接する交差部材間の低減させられた間隔、および／または、２つの交差部材間の不整合角度を低減させるための交差部材の端部の周りに位置する延長特徴を含むことができる。
【００２２】
２０１２年１０月３０日にＪａｃｋ  Ｂ  Ｌｏｖｌｅｙ，ＩＩに発行された米国特許第Ｄ６７０００３号は、キャノピのための装飾的設計を描写している。
【００２３】
２０１７年４月２５日にＥｌｌｅｎ  Ｈａｓｓｍａｎに発行された米国特許第Ｄ７８５２０１号は、ガゼーボキャノピのための装飾的設計を描写している。
【００２４】
２００６年１１月３０日にＷｅｉｄａｎ  Ｗｕに公開された米国公開第２００６０２６６４０１号は、扉フレームを含む折り畳み式扉フレームを伴うターポリンシェルタに関し、扉フレームの下端は、基部に接続され、上端は、コーナー接合部および交差梁と接続され、扉フレームが少なくとも３つの直立ポールを含む点において特徴付けられ、少なくともｘシザーズ部材の組が、中間直立ポールと各側面直立ポールとの間に配列され、該シザーズは、２つの交差ロッドから成り、それらの中間部分が、一緒互いにヒンジ接続されている。
【００２５】
２０１１年１２月２２日にＯｌｉｖｅｒ  Ｍａに公開された米国公開第２０１１０３０８５５９号は、シェルタの支持支柱上に搭載されたスライド部および支材機構を含むシェルタに関し、スライド部および支材機構は、シェルタがその折り畳まれた状態から拡張させられるとき、自動的に作動し、支持支柱の側面から延びる。支材機構は、支持支柱のコーナーによって画定されるシェルタの外周の全てまたは一部から外側に延びている軒天のための支持を提供する。
（従来技術の不利点）
【００２６】
従来技術は、以下のように、中心係止ポップアップに関連付けられる多くの問題を解決することができていない。
【００２７】
１）いかなる従来技術も、
調節可能リングキャノピ１０２と、
調節可能中心キャノピ１２２と
を有するいかなる中心係止ポップアップに言及も、開示もしていない。
したがって、従来技術の中心係止ポップアップは、
ａ）日よけを占有者に提供し、日焼けを防止することができない。
ｂ）関節炎患者支援１人展開用調節可能中心キャノピ・調節可能リングキャノピ・ロール可能中心ワンプッシュ係止ポップアップの内外への空気流を増加させるために上下に調節され、占有者を涼しい状態に保つことができない。
ｃ）関節炎患者支援１人展開用調節可能中心キャノピ・調節可能リングキャノピ・ロール可能中心ワンプッシュ係止ポップアップから外への空気流に役立ち、関節炎患者支援１人展開用調節可能中心キャノピ・調節可能リングキャノピ・ロール可能中心ワンプッシュ係止ポップアップからの煙の退出を支援することができない。
ｄ）雨保護を提供し、占有者を乾燥した状態に保つことができない。
【００２８】
２）いかなる従来技術も、関節炎患者支援中心ワンプッシュ係止調節可能筐体１２７を有するいかなる中心係止ポップアップに言及も、開示もしていない。
したがって、従来技術の中心係止ポップアップは、
ａ）中心支柱１２３を残りのキャノピ構造にスナップ係止し、関節炎患者支援１人展開用調節可能中心キャノピ・調節可能リングキャノピ・ロール可能中心ワンプッシュ係止ポップアップの全体的強度を高めることができない。
ｂ）キャノピを一緒に係止し、関節炎患者支援１人展開用調節可能中心キャノピ・調節可能リングキャノピ・ロール可能中心ワンプッシュ係止ポップアップが折り畳まれることを防止することができない。
ｃ）係止点の合計数を減少させ、設営をより容易にすることができない。
【００２９】
３）いかなる従来技術も、大型衝撃吸収係止車輪１４０を有するいかなる中心係止ポップアップに言及も、開示もしていない。
したがって、従来技術の中心係止ポップアップは、
ａ）ロープ１３６を通すための滑車として使用され、キャノピを堅く締めることができない。
ｂ）折り畳まれた構成にあるとき、関節炎患者支援１人展開用調節可能中心キャノピ・調節可能リングキャノピ・ロール可能中心ワンプッシュ係止ポップアップを地面に沿って転がすために使用され、輸送をより容易にすることができない。
ｃ）完全に起立させられているとき、関節炎患者支援１人展開用調節可能中心キャノピ・調節可能リングキャノピ・ロール可能中心ワンプッシュ係止ポップアップを移動させることを支援するために使用され、関節炎患者支援１人展開用調節可能中心キャノピ・調節可能リングキャノピ・ロール可能中心ワンプッシュ係止ポップアップを再配置することに役立つことができない。
ｄ）凸凹であり、および／または平らではない地形上で関節炎患者支援１人展開用調節可能中心キャノピ・調節可能リングキャノピ・ロール可能中心ワンプッシュ係止ポップアップを転がすために使用され、より多くの場所において関節炎患者支援１人展開用調節可能中心キャノピ・調節可能リングキャノピ・ロール可能中心ワンプッシュ係止ポップアップを再配置することに役立つことができない。
【００３０】
４）いかなる従来技術も、ダニ防止下向き歯１１５を有するいかなる中心係止ポップアップに言及も、開示もしていない。
したがって、従来技術の中心係止ポップアップは、
ａ）ダニが４つの上側支柱１１２および４つの下側支柱１１９の内側に入ることを防止し、占有者を疾患から保護することができない。
ｂ）天候要素が４つの上側支柱１１２および４つの下側支柱１１９の内側で起こることを防止することに役立ち、関節炎患者支援１人展開用調節可能中心キャノピ・調節可能リングキャノピ・ロール可能中心ワンプッシュ係止ポップアップのさびを防止し、その寿命を増加させることに役立つことができない。
ｃ）排水を支援し、さびを防止することに役立つことができない。
ｄ）追加の構造を４つのスリーブ１１４ａに提供し、４つの上側支柱１１２および４つの下側支柱１１９の強度を高めることができない。
【００３１】
５）いかなる従来技術も、支柱センタリングクランプ１１４ｂを有するいかなる中心係止ポップアップに言及も、開示もしていない。
したがって、従来技術の中心係止ポップアップは、
ａ）４つの上側支柱１１２内で４つの下側支柱１１９を中心に置き、組立および分解に役立つことができない。
ｂ）ダニが４つの上側支柱１１２および４つの下側支柱１１９の中に進入することを防ぐことに役立ち、占有者を保護することができない。
ｃ）追加の強度および安定性を４つの上側支柱１１２および４つの下側支柱１１９に提供し、占有者を安全に保ち、関節炎患者支援１人展開用調節可能中心キャノピ・調節可能リングキャノピ・ロール可能中心ワンプッシュ係止ポップアップの寿命を増加させることができない。
ｄ）４つの上側支柱１１２および４つの下側支柱１１９が結束することを防ぎ、関節炎患者支援１人展開用調節可能中心キャノピ・調節可能リングキャノピ・ロール可能中心ワンプッシュ係止ポップアップを上下に調節することに役立つことができない。
【００３２】
６）いかなる従来技術も、中心支柱１２３を有するいかなる中心係止ポップアップに言及も、開示もしていない。
したがって、従来技術の中心係止ポップアップは、
ａ）側方強度を関節炎患者支援１人展開用調節可能中心キャノピ・調節可能リングキャノピ・ロール可能中心ワンプッシュ係止ポップアップに提供し、関節炎患者支援１人展開用調節可能中心キャノピ・調節可能リングキャノピ・ロール可能中心ワンプッシュ係止ポップアップが半径方向に捻じれることを防ぐことができない。
ｂ）キャノピ構造を一緒に係止し、キャノピが折り畳まれることを防止することができない。
ｃ）全体的係止点の合計数を減少させ、設営をより容易にすることができない。
【００３３】
７）いかなる従来技術も、関節炎患者支援自己センタリングばね負荷筐体係止フック１２６を有するいかなる中心係止ポップアップに言及も、開示もしていない。
したがって、従来技術の中心係止ポップアップは、
ａ）中心支柱１２３を関節炎患者支援中心ワンプッシュ係止調節可能筐体１２７の中に自動的に誘導し、設営に役立つことができない。
ｂ）関節炎患者支援自己センタリングばね負荷筐体係止フック１２６を関節炎患者支援中心ワンプッシュ係止調節可能筐体１２７に自動的に係止し、かつそれに対して中心に置き、捻じりおよび偶発的折り畳みに耐えるようにポップアップを強化することに役立つことができない。
ｃ）関節炎患者支援自己センタリングばね負荷筐体係止フック１２６を自動的に押し、中心支柱１２３の係止をより容易にすることができない。
ｄ）関節炎患者支援中心ワンプッシュ係止調節可能筐体１２７と中心支柱１２３との間により少ない摩擦を自動的に提供し、設営および調節をより容易にすることができない。
【００３４】
８）いかなる従来技術も、水排出溝１１６を有するいかなる中心係止ポップアップに言及も、開示もしていない。
したがって、従来技術の中心係止ポップアップは、
ａ）水が４つの上側支柱１１２および４つの下側支柱１１９から排水されることを可能にし、４つの上側支柱１１２および４つの下側支柱１１９がさびることを防止することができない。
ｂ）水が支柱の中に入ることを防止し、関節炎患者支援１人展開用調節可能中心キャノピ・調節可能リングキャノピ・ロール可能中心ワンプッシュ係止ポップアップの寿命を延長することに役立つことができない。
ｃ）虫に対して保護することに役立ち、占有者を保護することに役立つことができない。
ｄ）追加の構造を４つのスリーブ１１４ａに提供し、４つの上側支柱１１２および４つの下側支柱１１９の強度を高めることができない。
【００３５】
９）いかなる従来技術も、関節炎患者支援支柱高さ調節ばね負荷ロープループフック１１７を有するいかなる中心係止ポップアップに言及も、開示もしていない。
したがって、従来技術の中心係止ポップアップは、
ａ）４つの支柱高さ調節ニップル１１８を係止および解放し、関節炎患者支援１人展開用調節可能中心キャノピ・調節可能リングキャノピ・ロール可能中心ワンプッシュ係止ポップアップの高さを調節することができない。
ｂ）ロープループ端部１３７のためのフックとして使用され、設営の選択肢を提供することができない。
ｃ）指を曲げる必要性を伴わずに押すことを可能にするように関節炎を患う人によって使用され、関節炎を伴う人のために設営をより痛みの少ないものにすることができない。
【００３６】
１０）いかなる従来技術も、４つのスリーブ１１４ａを有するいかなる中心係止ポップアップに言及も、開示もしていない。
したがって、従来技術の中心係止ポップアップは、
ａ）４つの上側支柱１１２および４つの下側支柱１１９が互いにこすり合うことを防止し、早期の摩耗またはさびを防止することができない。
ｂ）４つの上側支柱１１２と４つの下側支柱１１９との間の摩擦を最小化し、上昇および下降をより容易にすることができない。
ｃ）４つの上側支柱１１２および４つの下側支柱１１９の露出させられた接合部を保護し、さびを防止し、寿命を増加させることができない。
ｄ）４つの上側支柱１１２および４つの下側支柱１１９を一緒に接合し、支柱のための追加の強度および支持を提供することができない。
【００３７】
１１）いかなる従来技術も、ロープ誘導孔１３５を有するいかなる中心係止ポップアップに言及も、開示もしていない。
したがって、従来技術の中心係止ポップアップは、
ａ）ロープ１３６を通すために使用され、滑車軸またはフックのいずれかとともに使用することができない。
ｂ）関節炎患者支援滑車軸１３９を横断して斜めにロープ１３６を誘導するために使用され、からまりを防止することができない。
ｃ）ロープ滑車として使用され、関節炎患者支援滑車軸１３９およびロープ１３６とともに使用されることができない。
ｄ）ロープ１３６のための結んで留める場所として使用され、ロープ１３６および関節炎患者支援滑車軸１３９のためのカスタマイズ選択肢を増加させることができない。
【００３８】
１２）いかなる従来技術も、関節炎患者支援車輪係止ばね負荷ロープループフックを有するいかなる中心係止ポップアップに言及も、開示もしていない。したがって、従来技術の中心係止ポップアップは、
ａ）関節炎患者支援車輪係止ばね負荷ロープループフック１３４ａにキャノピロープ１３６を引っ掛け、ロープ１３６および全てのキャノピを係止し、ポップアップが、斜面上に設営されるとき、それらがスリップすることを防ぐことができない。
ｂ）大型衝撃吸収係止車輪１４０を係止し、ポップアップが、斜面上に設営されるとき、キャノピが移動することを防ぐことに役立つことができない。
ｃ）大型衝撃吸収係止車輪１４０を係止解除し、所望されると、キャノピを移動させることに役立つことができない。
ｄ）大型衝撃吸収係止車輪１４０を係止解除し、キャノピが、折り畳まれるとき、キャノピを移動させることに役立つことができない。
【００３９】
１３）いかなる従来技術も、関節炎患者支援滑車軸１３９を有するいかなる中心係止ポップアップに言及も、開示もしていない。
したがって、従来技術の中心係止ポップアップは、
ａ）ロープのための滑車としての機能を果たし、ロープ１３６および全てのキャノピを係止し、それらがスリップすることを防ぐことができない。
ｂ）ロープ１３６のための滑車としての機能を果たし、キャノピを起立させるために必要とされる強度の量を減少させることができない。
ｃ）大型衝撃吸収係止車輪１４０のための車軸として使用され、大型衝撃吸収係止車輪１４０が転動することを可能にすることができない。
【００４０】
１４）いかなる従来技術も、旋回ねじ山付きキャスタピン１３３を有するいかなる中心係止ポップアップに言及も、開示もしていない。
したがって、従来技術の中心係止ポップアップは、
ａ）関節炎患者支援多機能係止フック滑車軸車輪キャスタシステム１３２が水平軸を中心に回転することを可能にし、その大型衝撃吸収係止車輪１４０上のキャノピを移動させることを可能にすることができない。
ｂ）関節炎患者支援多機能係止フック滑車軸車輪キャスタシステム１３２が自由に回転することを可能にし、ポップアップを起立させることに役立つことができない。
ｃ）足掛けとして使用され、設営に役立ち、４つの下側支柱１１９を地面の中に差し込むことができない。
ｄ）４つの下側支柱１１９から関節炎患者支援車輪係止ばね負荷ロープループフック１３４ａにロープ１３６を引っ掛け、構造を強化し、４つの下側支柱１１９が外に曲がることを防ぐことができない。
【００４１】
１５）いかなる従来技術も、関節炎患者支援テーパ状楔ボタン１３０を有するいかなる中心係止ポップアップに言及も、開示もしていない。
したがって、従来技術の中心係止ポップアップは、
ａ）関節炎患者支援自己センタリングばね負荷筐体係止フック１２６を解放し、関節炎患者支援中心ワンプッシュ係止調節可能筐体１２７を係止解除し、キャノピが折り畳まれることを可能にすることができない。
ｂ）関節炎を伴う人物が、指の使用を伴わずに、関節炎患者支援自己センタリングばね負荷筐体係止フック１２６を係合解除する能力を可能にし、関節炎を伴う人がより少ない痛みでキャノピ折り畳むことに役立つことができない。
【００４２】
１６）いかなる従来技術も、関節炎患者支援１人展開用調節可能中心キャノピ・調節可能リングキャノピ・ロール可能中心ワンプッシュ係止ポップアップを有するいかなる中心係止ポップアップに言及も、開示もしていない。
したがって、従来技術の中心係止ポップアップは、
ａ）４つの旋回車を伴う旅行鞄のように迅速かつ容易に移動させられることができない。
ｂ）迅速かつ容易なワンプッシュ係止設営を行うことができない。
ｃ）４つの旋回車上の４つの車輪ロックによって確実に係止されることができない。
ｄ）１人の人物によって迅速かつ容易に起立させられることができない。
ｅ）１人の人物によって迅速かつ容易に折り畳まれることができない
ｆ）１人の人物によって迅速かつ容易に任意の方向に離れるように転がされることができない。
ｇ）１人の人物によって迅速かつ容易に３６０度回転させられることができない。
（本発明の目的および利点）
【００４３】
本発明は、従来技術の従来の概念および設計から実質的に逸脱する。そうすることで、本発明は、以下のように、従来技術の全ての不利点を克服する多くの独特かつ有意な特徴、機能、および利点を有する関節炎患者支援１人展開用調節可能中心キャノピ・調節可能リングキャノピ・ロール可能中心ワンプッシュ係止ポップアップを提供する。
【００４４】
１）新しい発明の目的は、
調節可能リングキャノピ１０２と、
調節可能中心キャノピ１２２と
を有する関節炎患者支援１人展開用調節可能中心キャノピ・調節可能リングキャノピ・ロール可能中心ワンプッシュ係止ポップアップを提供することである。
したがって、関節炎患者支援１人展開用調節可能中心キャノピ・調節可能リングキャノピ・ロール可能中心ワンプッシュ係止ポップアップは、
ａ）日よけを占有者に提供し、日焼けを防止することができる。
ｂ）関節炎患者支援１人展開用調節可能中心キャノピ・調節可能リングキャノピ・ロール可能中心ワンプッシュ係止ポップアップの内外への空気流を増加させるために上下に調節され、占有者を涼しい状態に保つことができる。
ｃ）関節炎患者支援１人展開用調節可能中心キャノピ・調節可能リングキャノピ・ロール可能中心ワンプッシュ係止ポップアップから外への空気流に役立ち、関節炎患者支援１人展開用調節可能中心キャノピ・調節可能リングキャノピ・ロール可能中心ワンプッシュ係止ポップアップからの煙の退出を支援することができる。
ｄ）雨保護を提供し、占有者を乾燥した状態に保つことができる。
【００４５】
２）新しい発明の別の目的は、
関節炎患者支援中心ワンプッシュ係止調節可能筐体１２７を有する関節炎患者支援１人展開用調節可能中心キャノピ・調節可能リングキャノピ・ロール可能中心ワンプッシュ係止ポップアップを提供することである。
したがって、１人展開用調節可能中心キャノピ・調節可能リングキャノピ・単一中心内面関節炎患者支援ロール可能ワンタッチポップアップは、
ａ）中心支柱１２３を残りのキャノピ構造にスナップ係止し、関節炎患者支援１人展開用調節可能中心キャノピ・調節可能リングキャノピ・ロール可能中心ワンプッシュ係止ポップアップの全体的強度を高めることができる。
ｂ）キャノピを一緒に係止し、関節炎患者支援１人展開用調節可能中心キャノピ・調節可能リングキャノピ・ロール可能中心ワンプッシュ係止ポップアップが折り畳まれることを防止することができる。
ｃ）係止点の合計数を減少させ、設営をより容易にすることができる。
【００４６】
３）新しい発明の別の目的は、
大型衝撃吸収係止車輪１４０を有する関節炎患者支援１人展開用調節可能中心キャノピ・調節可能リングキャノピ・ロール可能中心ワンプッシュ係止ポップアップを提供することである。
したがって、関節炎患者支援１人展開用調節可能中心キャノピ・調節可能リングキャノピ・ロール可能中心ワンプッシュ係止ポップアップは、
ａ）ロープ１３６を通すための滑車として使用され、キャノピを堅く締めることができる。
ｂ）折り畳まれた構成にあるとき、地面に沿って関節炎患者支援１人展開用調節可能中心キャノピ・調節可能リングキャノピ・ロール可能中心ワンプッシュ係止ポップアップを転がすために使用され、輸送をより容易にすることができる。
ｃ）完全に起立させられているとき、関節炎患者支援１人展開用調節可能中心キャノピ・調節可能リングキャノピ・ロール可能中心ワンプッシュ係止ポップアップを移動させることを支援するために使用され、関節炎患者支援１人展開用調節可能中心キャノピ・調節可能リングキャノピ・ロール可能中心ワンプッシュ係止ポップアップを再配置することに役立つことができる。
ｄ）凸凹である、および／または平らではない地形上で関節炎患者支援１人展開用調節可能中心キャノピ・調節可能リングキャノピ・ロール可能中心ワンプッシュ係止ポップアップを転がすために使用され、より多くの場所において関節炎患者支援１人展開用調節可能中心キャノピ・調節可能リングキャノピ・ロール可能中心ワンプッシュ係止ポップアップを再配置することに役立つことができる。
【００４７】
４）新しい発明のさらなる目的は、ダニ防止下向き歯１１５を有する関節炎患者支援１人展開用調節可能中心キャノピ・調節可能リングキャノピ・ロール可能中心ワンプッシュ係止ポップアップを提供することである。
したがって、関節炎患者支援１人展開用調節可能中心キャノピ・調節可能リングキャノピ・ロール可能中心ワンプッシュ係止ポップアップは、
ａ）ダニが４つの上側支柱１１２および４つの下側支柱１１９の内側に入ることを防止し、占有者を疾患から保護することができる。
ｂ）天候要素が４つの上側支柱１１２および４つの下側支柱１１９の内側で起こることを防止することに役立ち、関節炎患者支援１人展開用調節可能中心キャノピ・調節可能リングキャノピ・ロール可能中心ワンプッシュ係止ポップアップのさびを防止し、その寿命を増加させることに役立つことができる。
ｃ）排水を支援し、さびを防止することに役立つことができる。
ｄ）追加の構造を４つのスリーブ１１４ａに提供し、４つの上側支柱１１２および４つの下側支柱１１９の強度を高めることができる。
【００４８】
５）新しい発明のなおさらなる目的は、支柱センタリングクランプ１１４ｂを有する関節炎患者支援１人展開用調節可能中心キャノピ・調節可能リングキャノピ・ロール可能中心ワンプッシュ係止ポップアップを提供することである。
したがって、関節炎患者支援１人展開用調節可能中心キャノピ・調節可能リングキャノピ・ロール可能中心ワンプッシュ係止ポップアップは、
ａ）４つの上側支柱１１２内で４つの下側支柱１１９を中心に置き、組立および分解に役立つことができる。
ｂ）ダニが４つの上側支柱１１２および４つの下側支柱１１９の中に進入することを防ぐことに役立ち、占有者を保護することができる。
ｃ）追加の強度および安定性を４つの上側支柱１１２および４つの下側支柱１１９に提供し、占有者を安全に保ち、関節炎患者支援１人展開用調節可能中心キャノピ・調節可能リングキャノピ・ロール可能中心ワンプッシュ係止ポップアップの寿命を増加させることができる。
ｄ）４つの上側支柱１１２および４つの下側支柱１１９が結束することを防ぎ、関節炎患者支援１人展開用調節可能中心キャノピ・調節可能リングキャノピ・ロール可能中心ワンプッシュ係止ポップアップを上下に調節することに役立つことができる。
【００４９】
６）新しい発明の別の目的は、中心支柱１２３を有する関節炎患者支援１人展開用調節可能中心キャノピ・調節可能リングキャノピ・ロール可能中心ワンプッシュ係止ポップアップを提供することである。
したがって、関節炎患者支援１人展開用調節可能中心キャノピ・調節可能リングキャノピ・ロール可能中心ワンプッシュ係止ポップアップは、
ａ）側方強度を関節炎患者支援１人展開用調節可能中心キャノピ・調節可能リングキャノピ・ロール可能中心ワンプッシュ係止ポップアップに提供し、関節炎患者支援１人展開用調節可能中心キャノピ・調節可能リングキャノピ・ロール可能中心ワンプッシュ係止ポップアップが半径方向に捻じれることを防ぐことができる。
ｂ）キャノピ構造を一緒に係止し、キャノピが折り畳まれることを防止することができる。
ｃ）全体的係止点の合計数を減少させ、設営をより容易にすることができる。
【００５０】
７）新しい発明のまた別の目的は、関節炎患者支援自己センタリングばね負荷筐体係止フック１２６を有する関節炎患者支援１人展開用調節可能中心キャノピ・調節可能リングキャノピ・ロール可能中心ワンプッシュ係止ポップアップを提供することである。
したがって、関節炎患者支援１人展開用調節可能中心キャノピ・調節可能リングキャノピ・ロール可能中心ワンプッシュ係止ポップアップは、
ａ）中心支柱１２３を関節炎患者支援中心ワンプッシュ係止調節可能筐体１２７の中に自動的に誘導し、設営に役立つことができる。
ｂ）関節炎患者支援自己センタリングばね負荷筐体係止フック１２６を関節炎患者支援中心ワンプッシュ係止調節可能筐体１２７に対して自動的に係止し、中心に置き、捻じりおよび偶発的折り畳みに耐えるようにポップアップを強化することに役立つことができる。
ｃ）関節炎患者支援自己センタリングばね負荷筐体係止フック１２６を自動的に押し、中心支柱１２３の係止をより容易にすることができる。
ｄ）関節炎患者支援中心ワンプッシュ係止調節可能筐体１２７と中心支柱１２３との間により少ない摩擦を自動的に提供し、設営および調節をより容易にすることができる。
【００５１】
８）新しい発明のなおもまた別の目的は、水排出溝１１６を有する関節炎患者支援１人展開用調節可能中心キャノピ・調節可能リングキャノピ・ロール可能中心ワンプッシュ係止ポップアップを提供することである。
したがって、関節炎患者支援１人展開用調節可能中心キャノピ・調節可能リングキャノピ・ロール可能中心ワンプッシュ係止ポップアップは、
ａ）水が４つの上側支柱１１２および４つの下側支柱１１９から排水されることを可能にし、４つの上側支柱１１２および４つの下側支柱１１９がさびることを防止することができる。
ｂ）水が支柱の中に入ることを防止し、関節炎患者支援１人展開用調節可能中心キャノピ・調節可能リングキャノピ・ロール可能中心ワンプッシュ係止ポップアップの寿命を延長することに役立つことができる。
ｃ）虫に対して保護することに役立ち、占有者を保護することに役立つことができる。
ｄ）追加の構造を４つのスリーブ１１４ａに提供し、４つの上側支柱１１２および４つの下側支柱１１９の強度を高めることができる。
【００５２】
９）新しい発明のなおもさらなる目的は、関節炎患者支援支柱高さ調節ばね負荷ロープループフック１１７を有する関節炎患者支援１人展開用調節可能中心キャノピ・調節可能リングキャノピ・ロール可能中心ワンプッシュ係止ポップアップを提供することである。
したがって、関節炎患者支援１人展開用調節可能中心キャノピ・調節可能リングキャノピ・ロール可能中心ワンプッシュ係止ポップアップは、
ａ）４つの支柱高さ調節ニップル１１８を係止および解放し、関節炎患者支援１人展開用調節可能中心キャノピ・調節可能リングキャノピ・ロール可能中心ワンプッシュ係止ポップアップの高さを調節することができる。
ｂ）ロープループ端部１３７のためのフックとして使用され、設営の選択肢を提供することができる。
ｃ）指を曲げる必要性を伴わずに押すことを可能にするように関節炎を患う人によって使用され、関節炎を伴う人のために設営をより痛みの少ないものにすることができる。
【００５３】
１０）新しい発明のなおもさらなる目的は、４つのスリーブ１１４ａを有する関節炎患者支援１人展開用調節可能中心キャノピ・調節可能リングキャノピ・ロール可能中心ワンプッシュ係止ポップアップを提供することである。
したがって、関節炎患者支援１人展開用調節可能中心キャノピ・調節可能リングキャノピ・ロール可能中心ワンプッシュ係止ポップアップは、
ａ）４つの上側支柱１１２と４つの下側支柱１１９とが互いにこすり合うことを防止し、早期の摩耗またはさびを防止することができる。
ｂ）４つの上側支柱１１２と４つの下側支柱１１９との間の摩擦を最小化し、上昇および下降をより容易にすることができる。
ｃ）４つの上側支柱１１２および４つの下側支柱１１９の露出させられた接合部を保護し、さびを防止し、寿命を増加させることができる。
ｄ）４つの上側支柱１１２および４つの下側支柱１１９を一緒に接合し、支柱のための追加の強度および支持を提供することができる。
【００５４】
１１）新しい発明のなおもさらなる目的は、ロープ誘導孔１３５を有する関節炎患者支援１人展開用調節可能中心キャノピ・調節可能リングキャノピ・ロール可能中心ワンプッシュ係止ポップアップを提供することである。したがって、関節炎患者支援１人展開用調節可能中心キャノピ・調節可能リングキャノピ・ロール可能中心ワンプッシュ係止ポップアップは、
ａ）それを通してロープ１３６を通すために使用され、滑車軸またはフックのいずれかとともに使用することができる。
ｂ）関節炎患者支援滑車軸１３９を横断して斜めにロープ１３６を誘導するために使用され、からまりを防止することができる。
ｃ）ロープ滑車として使用され、関節炎患者支援滑車軸１３９およびロープ１３６とともに使用されることができる。
ｄ）ロープ１３６のための結んで留める場所として使用され、ロープ１３６および関節炎患者支援滑車軸１３９のためのカスタマイズ選択肢を増加させることができる。
【００５５】
１２）新しい発明のなおもさらなる目的は、関節炎患者支援車輪係止ばね負荷ロープループフックを有する関節炎患者支援１人展開用調節可能中心キャノピ・調節可能リングキャノピ・ロール可能中心ワンプッシュ係止ポップアップを提供することである。
したがって、関節炎患者支援１人展開用調節可能中心キャノピ・調節可能リングキャノピ・ロール可能中心ワンプッシュ係止ポップアップは、
ａ）関節炎患者支援車輪係止ばね負荷ロープループフック１３４ａにキャノピロープ１３６を引っ掛け、ロープ１３６および全てのキャノピを係止し、ポップアップが、斜面上に設営されるとき、それらがスリップすることを防ぐことができる。
ｂ）大型衝撃吸収係止車輪１４０を係止し、ポップアップが、斜面上に設営されるとき、キャノピが移動することを防ぐことに役立つことができる。
ｃ）大型衝撃吸収係止車輪１４０を係止解除し、所望されると、キャノピを移動させることに役立つことができる。
ｄ）大型衝撃吸収係止車輪１４０を係止解除し、キャノピが、折り畳まれるとき、キャノピを移動させることに役立つことができる。
【００５６】
１３）新しい発明のなおもさらなる目的は、関節炎患者支援滑車軸１３９を有する関節炎患者支援１人展開用調節可能中心キャノピ・調節可能リングキャノピ・ロール可能中心ワンプッシュ係止ポップアップを提供することである。
したがって、関節炎患者支援１人展開用調節可能中心キャノピ・調節可能リングキャノピ・ロール可能中心ワンプッシュ係止ポップアップは、
ａ）ロープのための滑車としての機能を果たし、ロープ１３６および全てのキャノピを係止し、それらがスリップすることを防ぐことができる。
ｂ）ロープ１３６のための滑車としての機能を果たし、キャノピを起立させるために必要とされる強度の量を減少させることができる。
ｃ）大型衝撃吸収係止車輪１４０のための車軸として使用され、大型衝撃吸収係止車輪１４０が転動することを可能にすることができる。
【００５７】
１４）新しい発明のなおもさらなる目的は、旋回ねじ山付きキャスタピン１３３を有する関節炎患者支援１人展開用調節可能中心キャノピ・調節可能リングキャノピ・ロール可能中心ワンプッシュ係止ポップアップを提供することである。
したがって、関節炎患者支援１人展開用調節可能中心キャノピ・調節可能リングキャノピ・ロール可能中心ワンプッシュ係止ポップアップは、
ａ）関節炎患者支援多機能係止フック滑車軸車輪キャスタシステム１３２が水平軸を中心に回転することを可能にし、その大型衝撃吸収係止車輪１４０上のキャノピを移動させることを可能にすることができる。
ｂ）関節炎患者支援多機能係止フック滑車軸車輪キャスタシステム１３２が自由に回転することを可能にし、ポップアップを起立させることに役立つことができる。
ｃ）足掛けとして使用され、設営に役立ち、４つの下側支柱１１９を地面の中に差し込むことができる。
ｄ）４つの下側支柱１１９から関節炎患者支援車輪係止ばね負荷ロープループフック１３４ａにロープ１３６を引っ掛け、構造を強化し、４つの下側支柱１１９が外に曲がることを防ぐことができる。
【００５８】
１５）新しい発明のなおもさらなる目的は、関節炎患者支援テーパ状楔ボタン１３０を有する関節炎患者支援１人展開用調節可能中心キャノピ・調節可能リングキャノピ・ロール可能中心ワンプッシュ係止ポップアップを提供することである。
したがって、関節炎患者支援１人展開用調節可能中心キャノピ・調節可能リングキャノピ・ロール可能中心ワンプッシュ係止ポップアップは、
ａ）関節炎患者支援自己センタリングばね負荷筐体係止フック１２６を解放し、関節炎患者支援中心ワンプッシュ係止調節可能筐体１２７を係止解除し、キャノピが折り畳まれることを可能にすることができる。
ｂ）関節炎を伴う人物が、指の使用を伴わずに、関節炎患者支援自己センタリングばね負荷筐体係止フック１２６を係合解除する能力を可能にし、関節炎を伴う人がより少ない痛みでキャノピ折り畳むことに役立つことができる。
【００５９】
１６）新しい発明のなおもさらなる目的は、関節炎患者支援１人展開用調節可能中心キャノピ・調節可能リングキャノピ・ロール可能中心ワンプッシュ係止ポップアップを提供することである。
したがって、関節炎患者支援１人展開用調節可能中心キャノピ・調節可能リングキャノピ・ロール可能中心ワンプッシュ係止ポップアップは、
ａ）４つの旋回車を伴う旅行鞄のように迅速かつ容易に移動させられることができる。
ｂ）迅速かつ容易なワンプッシュ係止設営を行うことができる。
ｃ）４つの旋回車上の４つの車輪ロックによって確実に係止されることができる。
ｄ）１人の人物によって迅速かつ容易に起立させられることができる。
ｅ）１人の人物によって迅速かつ容易に折り畳まれることができる。
ｆ）１人の人物によって迅速かつ容易に任意の方向に離れるように転がされることができる。
ｇ）１人の人物によって迅速かつ容易に３６０度回転させられることができる。
【００６０】
本発明の他の目的および利点が、付随の図面および続く説明の考慮から明白となるであろう。
【先行技術文献】
【特許文献】
【００６１】
【特許文献１】米国特許第９，６８３，３８７号公報
【発明の概要】
【課題を解決するための手段】
【００６２】
関節炎患者支援１人展開用調節可能中心キャノピ・調節可能リングキャノピ・ロール可能中心ワンプッシュ係止ポップアップは、調節可能リングキャノピと、中心交差部分と、それぞれ、中心交差部分に旋回可能にボルト留めされ、それぞれ、調節可能リングキャノピに取り付けられる複数の折り畳み可能上部トラスと、それぞれ、折り畳み可能上部トラスに旋回可能にボルト留めされる複数の上部トラスコネクタと、それぞれ、折り畳み可能上部トラスに旋回可能にボルト留めされる複数の折り畳み可能コーナートラスと、複数の折り畳み可能側面トラスと、それぞれ、折り畳み可能上部トラスに旋回可能にボルト留めされ、それぞれ、折り畳み可能側面トラスに旋回可能にボルト留めされる４つの上側コーナー交差部分と、それぞれ、４つの上側コーナー交差部分に取り付けられる４つの上側支柱と、４つの下側コーナー交差部分であって、４つの下側コーナー交差部分は、それぞれ、４つの上側支柱上でスライドさせられ、それぞれ、折り畳み可能コーナートラスにボルト留めされ、それぞれ、折り畳み可能側面トラスにボルト留めされ、交差部分孔が、それぞれ、４つの下側コーナー交差部分内に成型される、４つの下側コーナー交差部分と、それぞれ、４つの上側支柱の上側支柱底部端上でスライドさせられる４つのスリーブと、それぞれ、４つのスリーブに旋回可能に取り付けられる４つの関節炎患者支援支柱高さ調節ばね負荷ロープループフックと、それぞれ、関節炎患者支援支柱高さ調節ばね負荷ロープループフックに成型される４つの支柱高さ調節ニップルと、それぞれ、４つの上側支柱の内側にスライド可能に挿入される４つの下側支柱と、それぞれ、４つの上側支柱および４つの下側支柱内に削孔される複数の支柱高さ調節孔と、調節可能中心キャノピと、中心交差部分に取り付けられる中心支柱と、中心支柱内に形成される中心支柱孔と、中心支柱の内側に挿入される中心内面係止ばねと、中心支柱の内側に旋回可能にリベット留めされる関節炎患者支援自己センタリングばね負荷筐体係止フックと、関節炎患者支援中心ワンプッシュ係止調節可能筐体であって、関節炎患者支援中心ワンプッシュ係止調節可能筐体は、調節可能かつスライド可能に中心支柱上に係止され、それから係止解除され、関節炎患者支援中心ワンプッシュ係止調節可能筐体が、中心支柱の上下にスライドするとき、関節炎患者支援自己センタリングばね負荷筐体係止フックのスナップ係止をオンおよびオフにし、中心支柱を関節炎患者支援中心ワンプッシュ係止調節可能筐体に、およびそれから係止および係止解除し、ポップアップが、折り畳まれた後、または広げられた後、ポップアップを係止および係止解除し、関節炎患者支援中心ワンプッシュ係止調節可能筐体が、４つの上側支柱を外向きに押し、４つの上側支柱を定位置に係止するように上向きに押されると、ポップアップが１人の人物によって折り畳まれることおよび広げられることを可能にするためのものである、関節炎患者支援中心ワンプッシュ係止調節可能筐体と、関節炎患者支援中心ワンプッシュ係止調節可能筐体の筐体端部に成型されている引き込み漏斗と、関節炎患者支援中心ワンプッシュ係止調節可能筐体の外面から内面まで成型されているボタントンネルと、ボタントンネルの中にスナップ嵌めされ、ボタントンネルから外に関節炎患者支援自己センタリングばね負荷筐体係止フックを押し、関節炎患者が、自身の指を折り畳む必要性なしに中心支柱から関節炎患者支援自己センタリングばね負荷筐体係止フックを係合解除するための押す能力を可能にするためのものである関節炎患者支援テーパ状楔ボタンと、それぞれ、折り畳み可能上部トラスに旋回可能にボルト留めされ、それぞれ、関節炎患者支援中心ワンプッシュ係止調節可能筐体に旋回可能にボルト留めされ、それぞれ、調節可能中心キャノピに取り付けられる複数の折り畳み可能調節可能中心トラスと、それぞれ、４つの下側支柱の下側支柱底部端の中にねじ式で取り付けられる複数の旋回ねじ山付きキャスタピンと、それぞれ、滑車軸および係止車輪ブレースに旋回可能に接続される複数の車輪係止フックと、複数の滑車軸および係止車輪ブレースであって、車輪係止フックは、それぞれ、滑車軸および係止車輪ブレースに旋回可能に接続され、滑車軸および係止車輪ブレースは、それぞれ、旋回ねじ山付きキャスタピンに取り付けられ、自身の指を折り畳む必要性なしにポップアップが折り畳まれ、または展開されるとき、関節炎患者がポップアップを任意の方向に移動させることを可能にするためのものである、複数の滑車軸および係止車輪ブレースと、複数の車輪ギヤと、複数のペグばねと、複数のギヤ係止ペグと、それぞれ、滑車軸および係止車輪ブレースに、それらの間で回転可能に取り付けられ、ロープをその上に巻きつけるための滑車として機能し、ロープを引っ張り、調節可能リングキャノピを引き伸ばすために必要とされるロープ引っ張り力を低減させ、衝撃吸収係止車輪をその上に回転可能に取り付けるための車軸として機能するためのものである複数の関節炎患者支援滑車軸と、それぞれ、関節炎患者支援滑車軸に回転可能に取り付けられ、車輪として機能し、ポップアップが輸送および保管のために地面または表面に沿って転がされることを可能にし、車輪として機能し、ポップアップが砂地の表面に沿って転がされることを可能にし、車輪として機能し、ポップアップが凸凹である、または平らではない地形上で転がされることを可能にするためのものである複数の衝撃吸収係止車輪とを備えている。車輪ギヤは、それぞれ、衝撃吸収係止車輪に成型され、それらの間にギヤ係止ペグを係止するためのものであり、ペグばねは、それぞれ、ギヤ係止ペグ上でスライドさせられ、車輪ギヤから離れるようにギヤ係止ペグを押すためのものであり、ギヤ係止ペグは、それぞれ、滑車軸および係止車輪ブレースに旋回可能に取り付けられ、車輪ギヤの間でそれらを押し、車輪ギヤを定位置に係止するためのものであり、関節炎患者支援車輪係止ばね負荷ロープループフックは、衝撃吸収係止車輪を係止し、所望されると、衝撃吸収係止車輪が転がることを防止するためのものである。
【図面の簡単な説明】
【００６３】
【図１Ａ】図１Ａ、図１Ｂ、図１Ｃ、図１Ｄ、および図１Ｅは、関節炎患者支援多機能フック滑車軸車輪キャスタシステムのアセンブリの正面図、後面図、上面図、および斜視図を図示する。
【図１Ｂ】図１Ａ、図１Ｂ、図１Ｃ、図１Ｄ、および図１Ｅは、関節炎患者支援多機能フック滑車軸車輪キャスタシステムのアセンブリの正面図、後面図、上面図、および斜視図を図示する。
【図１Ｃ】図１Ａ、図１Ｂ、図１Ｃ、図１Ｄ、および図１Ｅは、関節炎患者支援多機能フック滑車軸車輪キャスタシステムのアセンブリの正面図、後面図、上面図、および斜視図を図示する。
【図１Ｄ】図１Ａ、図１Ｂ、図１Ｃ、図１Ｄ、および図１Ｅは、関節炎患者支援多機能フック滑車軸車輪キャスタシステムのアセンブリの正面図、後面図、上面図、および斜視図を図示する。
【図１Ｅ】図１Ａ、図１Ｂ、図１Ｃ、図１Ｄ、および図１Ｅは、関節炎患者支援多機能フック滑車軸車輪キャスタシステムのアセンブリの正面図、後面図、上面図、および斜視図を図示する。
【図１Ｆ】図１Ｆおよび図１Ｇは、平らではない、または凸凹である地形上で使用され得る関節炎患者支援１人展開用調節可能中心キャノピ、調節可能リングキャノピ、ロール可能中心ワンプッシュ係止ポップアップのアセンブリを実証する正面図を図示する。
【図１Ｇ】図１Ｆおよび図１Ｇは、平らではない、または凸凹である地形上で使用され得る関節炎患者支援１人展開用調節可能中心キャノピ・調節可能リングキャノピ・ロール可能中心ワンプッシュ係止ポップアップのアセンブリを実証する正面図を図示する。
【図１Ｈ】図１Ｈおよび図１Ｉは、関節炎患者支援中心ワンプッシュ係止調節可能筐体、関節炎患者支援自己センタリングばね負荷筐体係止フック、および他の関連する構成要素の斜視図および断面図を図示する。
【図１Ｉ】図１Ｈおよび図１Ｉは、関節炎患者支援中心ワンプッシュ係止調節可能筐体、関節炎患者支援自己センタリングばね負荷筐体係止フック、および他の関連する構成要素の斜視図および断面図を図示する。
【図１Ｊ】図１Ｊは、関節炎患者の個人が関節炎患者支援支柱高さ調節ばね負荷ロープループフックを動作させ得る様子の斜視図を図示する。
【図１Ｋ】図１Ｋおよび図１Ｌは、ロープおよびロープループ端部が、それぞれ、関節炎患者支援車輪係止ばね負荷ロープループフックおよび関節炎患者支援支柱高さ調節ばね負荷ロープループフックに取り付けられる様子を実証する斜視図を図示する。
【図１Ｌ】図１Ｋおよび図１Ｌは、ロープおよびロープループ端部が、それぞれ、関節炎患者支援車輪係止ばね負荷ロープループフックおよび関節炎患者支援支柱高さ調節ばね負荷ロープループフックに取り付けられる様子を実証する斜視図を図示する。
【図１Ｍ】図１Ｍ、図１Ｎ、図２Ａ、図２Ｂ、図３Ａ、図３Ｂ、および図４は、関節炎患者支援１人展開用調節可能中心キャノピ・調節可能リングキャノピ・ロール可能中心ワンプッシュ係止ポップアップの正面図および斜視図を図示する。
【図１Ｎ】図１Ｍ、図１Ｎ、図２Ａ、図２Ｂ、図３Ａ、図３Ｂ、および図４は、関節炎患者支援１人展開用調節可能中心キャノピ・調節可能リングキャノピ・ロール可能中心ワンプッシュ係止ポップアップの正面図および斜視図を図示する。
【図２Ａ】図１Ｍ、図１Ｎ、図２Ａ、図２Ｂ、図３Ａ、図３Ｂ、および図４は、関節炎患者支援１人展開用調節可能中心キャノピ・調節可能リングキャノピ・ロール可能中心ワンプッシュ係止ポップアップの正面図および斜視図を図示する。
【図２Ｂ】図１Ｍ、図１Ｎ、図２Ａ、図２Ｂ、図３Ａ、図３Ｂ、および図４は、関節炎患者支援１人展開用調節可能中心キャノピ・調節可能リングキャノピ・ロール可能中心ワンプッシュ係止ポップアップの正面図および斜視図を図示する。
【図３Ａ】図１Ｍ、図１Ｎ、図２Ａ、図２Ｂ、図３Ａ、図３Ｂ、および図４は、関節炎患者支援１人展開用調節可能中心キャノピ・調節可能リングキャノピ・ロール可能中心ワンプッシュ係止ポップアップの正面図および斜視図を図示する。
【図３Ｂ】図１Ｍ、図１Ｎ、図２Ａ、図２Ｂ、図３Ａ、図３Ｂ、および図４は、関節炎患者支援１人展開用調節可能中心キャノピ・調節可能リングキャノピ・ロール可能中心ワンプッシュ係止ポップアップの正面図および斜視図を図示する。
【図４】図１Ｍ、図１Ｎ、図２Ａ、図２Ｂ、図３Ａ、図３Ｂ、および図４は、関節炎患者支援１人展開用調節可能中心キャノピ・調節可能リングキャノピ・ロール可能中心ワンプッシュ係止ポップアップの正面図および斜視図を図示する。
【図５】図５Ａ、図５Ｂ、図５Ｃ、図６Ａ、図６Ｂ、図６Ｃ、および図７は、関節炎患者支援１人展開用調節可能中心キャノピ・調節可能リングキャノピ・ロール可能中心ワンプッシュ係止ポップアップのフレームを組み立てるために使用される種々の構成要素の正面図および斜視図を図示する。
【図６】図５Ａ、図５Ｂ、図５Ｃ、図６Ａ、図６Ｂ、図６Ｃ、および図７は、関節炎患者支援１人展開用調節可能中心キャノピ・調節可能リングキャノピ・ロール可能中心ワンプッシュ係止ポップアップのフレームを組み立てるために使用される種々の構成要素の正面図および斜視図を図示する。
【図７】図５Ａ、図５Ｂ、図５Ｃ、図６Ａ、図６Ｂ、図６Ｃ、および図７は、関節炎患者支援１人展開用調節可能中心キャノピ・調節可能リングキャノピ・ロール可能中心ワンプッシュ係止ポップアップのフレームを組み立てるために使用される種々の構成要素の正面図および斜視図を図示する。
【図８Ａ】図８Ａ、図８Ｂ、および図８Ｃは、関節炎患者支援支柱高さ調節ばね負荷ロープループフックの正面図、側面図、および斜視図を図示する。
【図８Ｂ】図８Ａ、図８Ｂ、および図８Ｃは、関節炎患者支援支柱高さ調節ばね負荷ロープループフックの正面図、側面図、および斜視図を図示する。
【図８Ｃ】図８Ａ、図８Ｂ、および図８Ｃは、関節炎患者支援支柱高さ調節ばね負荷ロープループフックの正面図、側面図、および斜視図を図示する。
【図８Ｄ】図８Ｄおよび図８Ｅは、４つのスリーブ、支柱センタリングクランプ、ダニ防止下向き歯、および水排出溝の底面図を図示する。
【図８Ｅ】図８Ｄおよび図８Ｅは、４つのスリーブ、支柱センタリングクランプ、ダニ防止下向き歯、および水排出溝の底面図を図示する。
【図９Ａ】図９Ａ、図９Ｂ、図９Ｃ、図９Ｄ、および図９Ｅは、中心内面係止ばね、関節炎患者支援自己センタリングばね負荷筐体係止フック、関節炎患者支援中心ワンプッシュ係止調節可能筐体、および関節炎患者支援テーパ状楔ボタンのアセンブリの斜視図、断面図、上面図、および底面図を図示する。
【図９Ｂ】図９Ａ、図９Ｂ、図９Ｃ、図９Ｄ、および図９Ｅは、中心内面係止ばね、関節炎患者支援自己センタリングばね負荷筐体係止フック、関節炎患者支援中心ワンプッシュ係止調節可能筐体、および関節炎患者支援テーパ状楔ボタンのアセンブリの斜視図、断面図、上面図、および底面図を図示する。
【図９Ｃ】図９Ａ、図９Ｂ、図９Ｃ、図９Ｄ、および図９Ｅは、中心内面係止ばね、関節炎患者支援自己センタリングばね負荷筐体係止フック、関節炎患者支援中心ワンプッシュ係止調節可能筐体、および関節炎患者支援テーパ状楔ボタンのアセンブリの斜視図、断面図、上面図、および底面図を図示する。
【図９Ｄ】図９Ａ、図９Ｂ、図９Ｃ、図９Ｄ、および図９Ｅは、中心内面係止ばね、関節炎患者支援自己センタリングばね負荷筐体係止フック、関節炎患者支援中心ワンプッシュ係止調節可能筐体、および関節炎患者支援テーパ状楔ボタンのアセンブリの斜視図、断面図、上面図、および底面図を図示する。
【図９Ｅ】図９Ａ、図９Ｂ、図９Ｃ、図９Ｄ、および図９Ｅは、中心内面係止ばね、関節炎患者支援自己センタリングばね負荷筐体係止フック、関節炎患者支援中心ワンプッシュ係止調節可能筐体、および関節炎患者支援テーパ状楔ボタンのアセンブリの斜視図、断面図、上面図、および底面図を図示する。
【図１０Ａ】図１０Ａ、図１０Ｂ、図１１Ａ、図１１Ｂ、および図１１Ｃは、関節炎患者支援多機能係止フック滑車軸車輪キャスタシステムのアセンブリの正面図、後面図、上面図、および斜視図を図示する。
【図１０Ｂ】図１０Ａ、図１０Ｂ、図１１Ａ、図１１Ｂ、および図１１Ｃは、関節炎患者支援多機能係止フック滑車軸車輪キャスタシステムのアセンブリの正面図、後面図、上面図、および斜視図を図示する。
【図１１】図１０Ａ、図１０Ｂ、図１１Ａ、図１１Ｂ、および図１１Ｃは、関節炎患者支援多機能係止フック滑車軸車輪キャスタシステムのアセンブリの正面図、後面図、上面図、および斜視図を図示する。
【図１２−１】図１２Ａ、図１２Ｂ、図１２Ｃ、および図１２Ｄは、大型衝撃吸収係止車輪を係止および係止解除する関節炎患者支援多機能係止フック滑車軸車輪キャスタシステムの機能を実証する側面図を図示する。
【図１２−２】図１２Ａ、図１２Ｂ、図１２Ｃ、および図１２Ｄは、大型衝撃吸収係止車輪を係止および係止解除する関節炎患者支援多機能係止フック滑車軸車輪キャスタシステムの機能を実証する側面図を図示する。
【図１３】図１３および図１４は、１人の人物が、関節炎患者支援多機能係止フック滑車軸車輪キャスタシステムを使用して、関節炎患者支援１人展開用調節可能中心キャノピ・調節可能リングキャノピ・ロール可能中心ワンプッシュ係止ポップアップを容易に移動させ得る様子の側面図を図示する。
【図１４】図１３および図１４は、１人の人物が、関節炎患者支援多機能係止フック滑車軸車輪キャスタシステムを使用して、関節炎患者支援１人展開用調節可能中心キャノピ・調節可能リングキャノピ・ロール可能中心ワンプッシュ係止ポップアップを容易に移動させ得る様子の側面図を図示する。
【図１５Ａ】図１５Ａは、関節炎を伴う個人が、指を曲げることなく関節炎患者支援支柱高さ調節ばね負荷ロープループフックを動作させ得る様子の側面図を図示する。
【図１５Ｂ】図１５Ｂは、支柱センタリングクランプ、ダニ防止下向き歯、および水排出溝が、それぞれ、支柱を中心に置き、ダニが進入することを防止し、水を排出するように機能する様子の断面図を図示する。
【図１６】図１６は、関節炎を伴う個人が、自身の指の使用を伴わずに関節炎患者支援テーパ状楔ボタンを押し得る様子の斜視図を図示する。
【図１７Ａ】図１７Ａ、図１７Ｂ、図１７Ｃ、図１７Ｄ、および図１７Ｅは、１人の人物が、関節炎患者支援中心ワンプッシュ係止調節可能筐体を押し上げ、関節炎患者支援自己センタリングばね負荷筐体係止フックを中心支柱孔の中に自動的に係合させ、それが、各角支柱の底部に接続される関節炎患者支援多機能フック滑車軸車輪キャスタシステムを使用することによって中心から斜めに外に４つの角支柱を同時に押すことによって、１人の人物が、関節炎患者支援１人展開用調節可能中心キャノピ・調節可能リングキャノピ・ロール可能中心ワンプッシュ係止ポップアップを起立させ得る様子の側面図、斜視図、および上面図を図示する。
【図１７Ｂ】図１７Ａ、図１７Ｂ、図１７Ｃ、図１７Ｄ、および図１７Ｅは、１人の人物が、関節炎患者支援中心ワンプッシュ係止調節可能筐体を押し上げ、関節炎患者支援自己センタリングばね負荷筐体係止フックを中心支柱孔の中に自動的に係合させ、それが、各角支柱の底部に接続される関節炎患者支援多機能フック滑車軸車輪キャスタシステムを使用することによって中心から斜めに外に４つの角支柱を同時に押すことによって、１人の人物が、関節炎患者支援１人展開用調節可能中心キャノピ・調節可能リングキャノピ・ロール可能中心ワンプッシュ係止ポップアップを起立させ得る様子の側面図、斜視図、および上面図を図示する。
【図１７Ｃ】図１７Ａ、図１７Ｂ、図１７Ｃ、図１７Ｄ、および図１７Ｅは、１人の人物が、関節炎患者支援中心ワンプッシュ係止調節可能筐体を押し上げ、関節炎患者支援自己センタリングばね負荷筐体係止フックを中心支柱孔の中に自動的に係合させ、それが、各角支柱の底部に接続される関節炎患者支援多機能フック滑車軸車輪キャスタシステムを使用することによって中心から斜めに外に４つの角支柱を同時に押すことによって、１人の人物が、関節炎患者支援１人展開用調節可能中心キャノピ・調節可能リングキャノピ・ロール可能中心ワンプッシュ係止ポップアップを起立させ得る様子の側面図、斜視図、および上面図を図示する。
【図１７Ｄ】図１７Ａ、図１７Ｂ、図１７Ｃ、図１７Ｄ、および図１７Ｅは、１人の人物が、関節炎患者支援中心ワンプッシュ係止調節可能筐体を押し上げ、関節炎患者支援自己センタリングばね負荷筐体係止フックを中心支柱孔の中に自動的に係合させ、それが、各角支柱の底部に接続される関節炎患者支援多機能フック滑車軸車輪キャスタシステムを使用することによって中心から斜めに外に４つの角支柱を同時に押すことによって、１人の人物が、関節炎患者支援１人展開用調節可能中心キャノピ・調節可能リングキャノピ・ロール可能中心ワンプッシュ係止ポップアップを起立させ得る様子の側面図、斜視図、および上面図を図示する。
【図１７Ｅ】図１７Ａ、図１７Ｂ、図１７Ｃ、図１７Ｄ、および図１７Ｅは、１人の人物が、関節炎患者支援中心ワンプッシュ係止調節可能筐体を押し上げ、関節炎患者支援自己センタリングばね負荷筐体係止フックを中心支柱孔の中に自動的に係合させ、それが、各角支柱の底部に接続される関節炎患者支援多機能フック滑車軸車輪キャスタシステムを使用することによって中心から斜めに外に４つの角支柱を同時に押すことによって、１人の人物が、関節炎患者支援１人展開用調節可能中心キャノピ・調節可能リングキャノピ・ロール可能中心ワンプッシュ係止ポップアップを起立させ得る様子の側面図、斜視図、および上面図を図示する。
【図１７Ｆ】図１７Ｆおよび１７Ｇは、平らではない、または凸凹である地形上で使用され得る関節炎患者支援１人展開用調節可能中心キャノピ、調節可能リングキャノピ、ロール可能中心ワンプッシュ係止ポップアップのアセンブリを実証する正面図を図示する。
【図１７Ｇ】図１７Ｆおよび１７Ｇは、平らではない、または凸凹である地形上で使用され得る関節炎患者支援１人展開用調節可能中心キャノピ、調節可能リングキャノピ、ロール可能中心ワンプッシュ係止ポップアップのアセンブリを実証する正面図を図示する。
【図１８Ａ】図１８Ａ、図１８Ｂ、図１８Ｃ、図１８Ｄ、および図１８Ｅは、ロープおよびロープループ端部が、調節可能リングキャノピおよび調節可能中心キャノピを堅く締めるために、それぞれ、車輪係止フック、４つの支柱高さ調節関節炎患者支援ばね負荷ロープフックロッカ、滑車軸および係止車輪ブレース、ロープ誘導孔、および滑車軸に引っ掛かり、それらと相互作用する様子の斜視図および上面図を図示する。
【図１８Ｂ】図１８Ａ、図１８Ｂ、図１８Ｃ、図１８Ｄ、および図１８Ｅは、ロープおよびロープループ端部が、調節可能リングキャノピおよび調節可能中心キャノピを堅く締めるために、それぞれ、車輪係止フック、４つの支柱高さ調節関節炎患者支援ばね負荷ロープフックロッカ、滑車軸および係止車輪ブレース、ロープ誘導孔、および滑車軸に引っ掛かり、それらと相互作用する様子の斜視図および上面図を図示する。
【図１８Ｃ】図１８Ａ、図１８Ｂ、図１８Ｃ、図１８Ｄ、および図１８Ｅは、ロープおよびロープループ端部が、調節可能リングキャノピおよび調節可能中心キャノピを堅く締めるために、それぞれ、車輪係止フック、４つの支柱高さ調節関節炎患者支援ばね負荷ロープフックロッカ、滑車軸および係止車輪ブレース、ロープ誘導孔、および滑車軸に引っ掛かり、それらと相互作用する様子の斜視図および上面図を図示する。
【図１８Ｄ】図１８Ａ、図１８Ｂ、図１８Ｃ、図１８Ｄ、および図１８Ｅは、ロープおよびロープループ端部が、調節可能リングキャノピおよび調節可能中心キャノピを堅く締めるために、それぞれ、車輪係止フック、４つの支柱高さ調節関節炎患者支援ばね負荷ロープフックロッカ、滑車軸および係止車輪ブレース、ロープ誘導孔、および滑車軸に引っ掛かり、それらと相互作用する様子の斜視図および上面図を図示する。
【図１８Ｅ】図１８Ａ、図１８Ｂ、図１８Ｃ、図１８Ｄ、および図１８Ｅは、ロープおよびロープループ端部が、調節可能リングキャノピおよび調節可能中心キャノピを堅く締めるために、それぞれ、車輪係止フック、４つの支柱高さ調節関節炎患者支援ばね負荷ロープフックロッカ、滑車軸および係止車輪ブレース、ロープ誘導孔、および滑車軸に引っ掛かり、それらと相互作用する様子の斜視図および上面図を図示する。
【図１９Ａ】図１９Ａおよび図１９Ｂは、調節可能リングキャノピおよび調節可能中心キャノピが、空気流を循環させ、関節炎患者支援１人展開用調節可能中心キャノピ・調節可能リングキャノピ・ロール可能中心ワンプッシュ係止ポップアップから外に煙を追い出し得る様子の斜視図を図示する。
【図１９Ｂ】図１９Ａおよび図１９Ｂは、調節可能リングキャノピおよび調節可能中心キャノピが、空気流を循環させ、関節炎患者支援１人展開用調節可能中心キャノピ・調節可能リングキャノピ・ロール可能中心ワンプッシュ係止ポップアップから外に煙を追い出し得る様子の斜視図を図示する。
【図２０】図２０Ａおよび図２０Ｂは、その折り畳まれた状態における関節炎患者支援１人展開用調節可能中心キャノピ・調節可能リングキャノピ・ロール可能中心ワンプッシュ係止ポップアップの同等の変形例の側面図を図示する。
【図２１】図２１Ａ、図２１Ｂ、図２１Ｃ、および図２１Ｄは、関節炎患者支援１人展開用調節可能中心キャノピ・調節可能リングキャノピ・ロール可能中心ワンプッシュ係止ポップアップの同等の変形例の斜視図を図示する。
【図２２】図２２Ａ、図２２Ｂ、図２２Ｃ、および図２２Ｄは、中心内面係止ばね、関節炎患者支援自己センタリングばね負荷筐体係止フック、関節炎患者支援中心ワンプッシュ係止調節可能筐体、および関節炎患者支援テーパ状楔ボタンの同等の変形例の斜視図、断面図、側面図、および分解図を図示する。
【図２３】図２３Ａ、図２３Ｂ、図２３Ｃ、図２３Ｄ、図２３Ｅ、および図２３Ｆは、関節炎患者支援テーパ状楔ボタンの同等の変形例の斜視図、正面図、後面図、上面図、および側面図を図示する。
【図２４】図２４Ａ、図２４Ｂ、図２４Ｃ、および図２４Ｄは、中心支柱、中心内面係止ばね、および関節炎患者支援自己センタリングばね負荷筐体係止フックの同等の変形例の斜視図、断面図、および側面図を図示する。
【図２５】図２５は、関節炎患者支援支柱高さ調節ばね負荷ロープループフックの同等の変形例の斜視図を図示する。
【図２６】図２６は、関節炎患者支援多機能フック滑車軸車輪キャスタシステムの同等の変形例の斜視図を図示する。
【発明を実施するための形態】
【００６４】
関節炎患者支援１人展開用調節可能中心キャノピ・調節可能リングキャノピ・ロール可能中心ワンプッシュ係止ポップアップは、以下を備えている。
１）関節炎患者支援支柱センタリング・ダニ防止・水排出・風および煙向け直し調節可能リングキャノピシステム
２）関節炎患者支援中心内面係止・風および煙向け直し調節可能中心キャノピシステム
３）関節炎患者支援多機能フック滑車軸車輪キャスタシステム
【００６５】
（構成要素）
図１Ａ、図１Ｂ、図１Ｃ、図１Ｄ、図１Ｅ、図１Ｆ、図１Ｇ、図１Ｈ、図１Ｉ、図１Ｊ、図１Ｋ、図１Ｌ、図１Ｍ、図１Ｎ、図２Ａ、図２Ｂ、図３Ａ、図３Ｂ、図４、図５Ａ、図５Ｂ、図５Ｃ、図６Ａ、図６Ｂ、図６Ｃ、図７、図８Ａ、図８Ｂ、図８Ｃ、図８Ｄ、図８Ｅ、図９Ａ、図９Ｂ、図９Ｃ、図９Ｄ、図９Ｅ、図１０Ａ、図１０Ｂ、図１１Ａ、図１１Ｂ、および図１１Ｃを参照すると、関節炎患者支援１人展開用調節可能中心キャノピ・調節可能リングキャノピ・ロール可能中心ワンプッシュ係止ポップアップは、以下を備えている：
１）以下を備えている、関節炎患者支援支柱センタリング・ダニ防止・水排出・風および煙向け直し調節可能リングキャノピシステム１０１：
２）調節可能リングキャノピ１０２、
３）中心交差部分１０３、
４）交差部分孔１０４、
５）ボルト１０５、
６）ナット１０６、
７）折り畳み可能上部トラス１０７ａ、
上部トラスコネクタ１０７ｂ、
８）折り畳み可能コーナートラス１０８、
９）折り畳み可能側面トラス１０９、
１０）トラス孔１１０、
１１）４つの上側コーナー交差部分１１１、
１２）４つの上側支柱１１２、
１３）４つの下側コーナー交差部分１１３、
１４）４つのスリーブ１１４ａ、
支柱センタリングクランプ１１４ｂ、
１５）ダニ防止下向き歯１１５、
１６）水排出溝１１６、
１７）関節炎患者支援支柱高さ調節ばね負荷ロープループフック１１７、
１８）４つの支柱高さ調節ニップル１１８、
１９）４つの下側支柱１１９、
２０）支柱高さ調節孔１２０、
２１）以下を備えている、関節炎患者支援中心内面係止・風および煙向け直し調節可能中心キャノピシステム１２１：
２２）調節可能中心キャノピ１２２、
２３）中心支柱１２３、
２４）中心支柱孔１２４、
２５）中心内面係止ばね１２５、
２６）関節炎患者支援自己センタリングばね負荷筐体係止フック１２６、
２７）関節炎患者支援中心ワンプッシュ係止調節可能筐体１２７、
２８）引き込み漏斗１２８、
２９）ボタントンネル１２９、
３０）関節炎患者支援テーパ状楔ボタン１３０、
３１）折り畳み可能調節可能中心トラス１３１、
３２）以下を備えている、関節炎患者支援多機能係止フック滑車軸車輪キャスタシステム１３２：
３３）旋回ねじ山付きキャスタピン１３３、
３４）関節炎患者支援車輪係止ばね負荷ロープループフック１３４ａ、
車輪ギヤ１３４ｂ、
ペグギヤ１３４ｃ、
ギヤ係止ペグ１３４ｄ、
３５）ロープ誘導孔１３５、
３６）ロープ１３６、
３７）ロープループ端部１３７、
３８）滑車軸および係止車輪ブレース１３８、
３９）関節炎患者支援滑車軸１３９、
４０）大型衝撃吸収係止車輪１４０。
【００６６】
（材料）
図１Ａ、図１Ｂ、図１Ｃ、図１Ｄ、図１Ｅ、図１Ｆ、図１Ｇ、図１Ｈ、図１Ｉ、図１Ｊ、図１Ｋ、図１Ｌ、図１Ｍ、図１Ｎ、図２Ａ、図２Ｂ、図３Ａ、図３Ｂ、図４、図５Ａ、図５Ｂ、図５Ｃ、図６Ａ、図６Ｂ、図６Ｃ、図７、図８Ａ、図８Ｂ、図８Ｃ、図８Ｄ、図８Ｅ、図９Ａ、図９Ｂ、図９Ｃ、図９Ｄ、図９Ｅ、図１０Ａ、図１０Ｂ、図１１Ａ、図１１Ｂ、および図１１Ｃを参照すると、
【００６７】
１）関節炎患者支援支柱センタリング・ダニ防止・水排出・風および煙向け直し調節可能リングキャノピシステム１０１は、その構成要素の組み合わせられた材料から作製される。
２）調節可能リングキャノピ１０２は、キャンバス、織物、ナイロン、同等物、均等物、または可撓性材料から作製される。
３）中心交差部分１０３は、金属またはプラスチック材料から作製される。
４）交差部分孔１０４は、各々、空の空間から作製される。
５）ボルト１０５は、各々、金属またはプラスチック材料から作製される。
６）ナット１０６は、各々、金属またはプラスチック材料から作製される。
７）折り畳み可能上部トラス１０７ａは、各々、金属またはプラスチック材料から作製される。
上部トラスコネクタ１０７ｂは、各々、金属またはプラスチック材料から作製される。
８）折り畳み可能コーナートラス１０８は、各々、金属またはプラスチック材料から作製される。
９）折り畳み可能側面トラス１０９は、各々、金属またはプラスチック材料から作製される。
１０）トラス孔１１０は、各々、空の空間から作製される。
１１）４つの上側コーナー交差部分１１１は、各々、金属またはプラスチック材料から作製される。
１２）４つの上側支柱１１２は、各々、金属またはプラスチック材料から作製される。
１３）４つの下側コーナー交差部分１１３は、各々、金属またはプラスチック材料から作製される。
１４）４つのスリーブ１１４ａは、各々、金属またはプラスチック材料から作製される。
支柱センタリングクランプ１１４ｂは、各々、金属またはプラスチック材料から作製される。
１５）ダニ防止下向き歯１１５は、各々、金属またはプラスチック材料から作製される。
１６）水排出溝１１６は、各々、空の空間から作製される。
１７）関節炎患者支援支柱高さ調節ばね負荷ロープループフック１１７は、各々、金属またはプラスチック材料から作製される。
１８）４つの支柱高さ調節ニップル１１８は、各々、金属またはプラスチック材料から作製される。
１９）４つの下側支柱１１９は、各々、金属またはプラスチック材料から作製される。
２０）支柱高さ調節孔１２０は、各々、空の空間から作製される。
２１）関節炎患者支援中心内面係止・風および煙向け直し調節可能中心キャノピシステム１２１は、その構成要素の組み合わせられた材料から作製される。
２２）調節可能中心キャノピ１２２は、キャンバス、織物、ナイロン、同等物、均等物、または可撓性材料から作製される。
２３）中心支柱１２３は、金属またはプラスチック材料から作製される。
２４）中心支柱孔１２４は、空の空間から作製される。
２５）中心内面係止ばね１２５は、金属またはプラスチック材料から作製される。
２６）関節炎患者支援自己センタリングばね負荷筐体係止フック１２６は、金属またはプラスチック材料から作製される。
２７）関節炎患者支援中心ワンプッシュ係止調節可能筐体１２７は、金属またはプラスチック材料から作製される。
２８）引き込み漏斗１２８は、空の空間から作製される。
２９）ボタントンネル１２９は、空の空間から作製される。
３０）関節炎患者支援テーパ状楔ボタン１３０は、金属またはプラスチック材料から作製される。
３１）折り畳み可能調節可能中心トラス１３１は、各々、金属またはプラスチック材料から作製される。
３２）関節炎患者支援多機能係止フック滑車軸車輪キャスタシステム１３２は、その構成要素の組み合わせられた材料から作製される。
３３）旋回ねじ山付きキャスタピン１３３は、各々、金属またはプラスチック材料から作製される。
３４）関節炎患者支援車輪係止ばね負荷ロープループフック１３４ａは、各々、金属またはプラスチック材料から作製される。
車輪ギヤ１３４ｂは、各々、金属またはプラスチック材料から作製される。
ペグばね１３４ｃは、各々、金属材料から作製される。
ギヤ係止ペグ１３４ｄは、各々、金属またはプラスチック材料から作製される。
３５）ロープ誘導孔１３５は、各々、空の空間から作製される。
３６）ロープ１３６は、各々、キャンバス、織物、ナイロン、同等物、均等物、または可撓性材料から作製される。
３７）ロープループ端部１３７は、各々、金属またはプラスチック材料から作製される。
３８）滑車軸および係止車輪ブレース１３８は、各々、金属またはプラスチック材料から作製される。
３９）関節炎患者支援滑車軸１３９は、各々、金属またはプラスチック材料から作製される。
４０）大型衝撃吸収係止車輪１４０は、各々、金属またはプラスチック材料から作製される。
【００６８】
（形状）
図１Ａ、図１Ｂ、図１Ｃ、図１Ｄ、図１Ｅ、図１Ｆ、図１Ｇ、図１Ｈ、図１Ｉ、図１Ｊ、図１Ｋ、図１Ｌ、図１Ｍ、図１Ｎ、図２Ａ、図２Ｂ、図３Ａ、図３Ｂ、図４、図５Ａ、図５Ｂ、図５Ｃ、図６Ａ、図６Ｂ、図６Ｃ、図７、図８Ａ、図８Ｂ、図８Ｃ、図８Ｄ、図８Ｅ、図９Ａ、図９Ｂ、図９Ｃ、図９Ｄ、図９Ｅ、図１０Ａ、図１０Ｂ、図１１Ａ、図１１Ｂ、および図１１Ｃを参照すると、
【００６９】
１）関節炎患者支援支柱センタリング・ダニ防止・水排出・風および煙向け直し調節可能リングキャノピシステム１０１は、その構成要素の組み合わせられた形状を有する。
２）調節可能リングキャノピ１０２は、正方形リング形状に形成される。
３）中心交差部分１０３は、４つのＵ形アームを伴う丸形形状に形成される。
４）交差部分孔１０４は、各々、丸形形状に形成される。
５）ボルト１０５は、各々、六角形ヘッドを伴うボルト形状に形成される。
６）ナット１０６は、各々、六角形リング形状に形成される。
７）折り畳み可能上部トラス１０７ａは、各々、長方形または楕円形管形状に形成される。
上部トラスコネクタ１０７ｂは、各々、Ｕ形に形成される。
８）折り畳み可能コーナートラス１０８は、各々、長方形または楕円形管形状に形成される。
９）折り畳み可能側面トラス１０９は、各々、長方形または楕円形管形状に形成される。
１０）トラス孔１１０は、各々、丸形形状に形成される。
１１）４つの上側コーナー交差部分１１１は、各々、１つの閉鎖端、１つの開放端、および３つのＵ形アームを伴う正方形管形状に形成される。
１２）４つの上側支柱１１２は、各々、正方形断面を伴う管状形状に形成される。
１３）４つの下側コーナー交差部分１１３は、各々、開放端および３つのＵ形アームを伴う正方形管形状に形成される。
１４）４つのスリーブ１１４ａは、各々、長方形形状に形成される。
支柱センタリングクランプ１１４ｂは、各々、下弦の月形状に形成される。
１５）ダニ防止下向き歯１１５は、各々、ピラミッド形状に形成される。
１６）水排出溝１１６は、各々、半月形状に形成される。
１７）関節炎患者支援支柱高さ調節ばね負荷ロープループフック１１７は、各々、Ｃ形に形成される。
１８）４つの支柱高さ調節ニップル１１８は、各々、半月形状に形成される。
１９）４つの下側支柱１１９は、各々、正方形断面を伴う管状形状に形成される。
２０）支柱高さ調節孔１２０は、各々、半月形状に形成される。
２１）関節炎患者支援中心内面係止・風および煙向け直し調節可能中心キャノピシステム１２１は、その構成要素の組み合わせられた形状を有する。
２２）調節可能中心キャノピ１２２は、正方形形状に形成される。
２３）中心支柱１２３は、円形断面を伴う管状形状に形成される。
２４）中心支柱孔１２４は、長方形形状に形成される。
２５）中心内面係止ばね１２５は、螺旋形状に形成される。
２６）関節炎患者支援自己センタリングばね負荷筐体係止フック１２６は、Ｊ形に形成される。
２７）関節炎患者支援中心ワンプッシュ係止調節可能筐体１２７は、円筒形内面の丸形中心孔を伴い、複数の外周Ｕ形トラスブラケットを伴う丸形リング形状に形成される。
２８）引き込み漏斗１２８は、漏斗形状に形成される。
２９）ボタントンネル１２９は、その中により小さい丸形台形形状を伴う丸形角付き台形形状に形成される。
３０）関節炎患者支援テーパ状楔ボタン１３０は、各々、本体区分および本体から外に延びているより小さい丸形台形形状を伴う丸形角付き台形形状に形成される。
３１）折り畳み可能調節可能中心トラス１３１は、各々、長方形または楕円形管形状に形成される。
３２）関節炎患者支援多機能係止フック滑車軸車輪キャスタシステム１３２は、その構成要素の組み合わせられた形状を有する。
３３）旋回ねじ山付きキャスタピン１３３は、各々、ねじ山付き円筒形形状に形成される。
３４）関節炎患者支援車輪係止ばね負荷ロープループフック１３４ａは、各々、垂直に延びている正方形タブを伴うＪ形に形成される。
車輪ギヤ１３４ｂは、各々、ギヤ形状に形成される。
ペグばね１３４ｃは、各々、ばね形状に形成される。
ギヤ係止ペグ１３４ｄは、各々、尖端を伴うＹ形に形成される。
３５）ロープ誘導孔１３５は、各々、丸形形状に形成される。
３６）ロープ１３６は、各々、紐形状に形成される。
３７）ロープループ端部１３７は、各々、輪形状に形成される。
３８）滑車軸および係止車輪ブレース１３８は、各々、略長方形形状に形成される。
３９）関節炎患者支援滑車軸１３９は、各々、砂時計形状に形成される。
４０）大型衝撃吸収係止車輪１４０は、各々、一方の側の波形縁と他方の側の円周を周回するスプロケット歯とを伴う皿形状に形成される。
【００７０】
（接続）
図１Ａ、図１Ｂ、図１Ｃ、図１Ｄ、図１Ｅ、図１Ｆ、図１Ｇ、図１Ｈ、図１Ｉ、図１Ｊ、図１Ｋ、図１Ｌ、図１Ｍ、図１Ｎ、図２Ａ、図２Ｂ、図３Ａ、図３Ｂ、図４、図５Ａ、図５Ｂ、図５Ｃ、図６Ａ、図６Ｂ、図６Ｃ、図７、図８Ａ、図８Ｂ、図８Ｃ、図８Ｄ、図８Ｅ、図９Ａ、図９Ｂ、図９Ｃ、図９Ｄ、図９Ｅ、図１０Ａ、図１０Ｂ、図１１Ａ、図１１Ｂ、および図１１Ｃを参照すると、
【００７１】
１）関節炎患者支援支柱センタリング・ダニ防止・水排出・風および煙向け直し調節可能リングキャノピシステム１０１は、その構成要素の組み合わせられた接続を有する。
２）調節可能リングキャノピ１０２は、折り畳み可能上部トラス１０７ａに取り付けられる。
３）中心交差部分１０３は、折り畳み可能上部トラス１０７ａに旋回可能にボルト留めされる。
４）交差部分孔１０４は、それぞれ、中心交差部分１０３内に成型され、
それぞれ、４つの上側コーナー交差部分１１１内に成型され、
それぞれ、４つの下側コーナー交差部分１１３内に成型される。
５）ボルト１０５は、それぞれ、交差部分孔１０４を通して挿入される。
６）ナット１０６は、それぞれ、ボルト１０５上にねじ込まれる。
７）折り畳み可能上部トラス１０７ａは、それぞれ、中心交差部分１０３に旋回可能にボルト留めされ、
それぞれ、該調節可能リングキャノピ１０２に取り付けられ、
上部トラスコネクタ１０７ｂは、それぞれ、折り畳み可能上部トラス１０７ａに旋回可能にボルト留めされる。
８）折り畳み可能コーナートラス１０８は、それぞれ、折り畳み可能上部トラス１０７ａに旋回可能にボルト留めされる。
９）折り畳み可能側面トラス１０９は、それぞれ、４つの上側コーナー交差部分１１１に旋回可能にボルト留めされ、
それぞれ、互いに旋回可能にボルト留めされる。
１０）トラス孔１１０は、それぞれ、折り畳み可能上部トラス１０７ａ、折り畳み可能コーナートラス１０８、折り畳み可能側面トラス１０９、および、折り畳み可能調節可能中心トラス１３３の中に削孔される。
１１）４つの上側コーナー交差部分１１１は、それぞれ、折り畳み可能上部トラス１０７ａに旋回可能にボルト留めされ、
それぞれ、該折り畳み可能側面トラス１０９に旋回可能にボルト留めされる。
１２）４つの上側支柱１１２は、それぞれ、４つの上側コーナー交差部分１１１に取り付けられる。
１３）４つの下側コーナー交差部分１１３は、それぞれ、４つの上側支柱１１２上でスライドさせられ、
それぞれ、該折り畳み可能コーナートラス１０８に旋回可能にボルト留めされ、
それぞれ、該折り畳み可能側面トラス１０９に旋回可能にボルト留めされる。
１４）４つのスリーブ１１４ａは、それぞれ、４つの上側支柱１１２の底部端上でスライドさせられる。
支柱センタリングクランプ１１４ｂは、それぞれ、４つのスリーブ１１４ａに成型される。
１５）ダニ防止下向き歯１１５は、それぞれ、４つのスリーブ１１４ａに成型される。
１６）水排出溝１１６は、それぞれ、４つのスリーブ１１４ａに成型される。
１７）関節炎患者支援支柱高さ調節ばね負荷ロープループフック１１７は、それぞれ、４つのスリーブ１１４ａに旋回可能に取り付けられる。
１８）４つの支柱高さ調節ニップル１１８は、それぞれ、関節炎患者支援支柱高さ調節ばね負荷ロープループフック１１７に成型される。
１９）４つの下側支柱１１９は、それぞれ、４つの上側支柱１１２の内側にスライド可能に挿入される。
２０）支柱高さ調節孔１２０は、それぞれ、４つの上側支柱１１２および４つの下側支柱１１９内に形成または削孔される。
２１）関節炎患者支援中心内面係止・風および煙向け直し調節可能中心キャノピシステム１２１は、その構成要素の組み合わせられた接続を有する。
２２）調節可能中心キャノピ１２２は、折り畳み可能調節可能中心トラス１３１に取り付けられる。
２３）中心支柱１２３は、中心交差部分１０３に取り付けられる。
２４）中心支柱孔１２４は、中心支柱１２３内に形成される。
２５）中心内面係止ばね１２５は、中心支柱１２３の内側に挿入される。
２６）関節炎患者支援自己センタリングばね負荷筐体係止フック１２６は、中心支柱１２３の内側に旋回可能にリベット留めされる。
２７）関節炎患者支援中心ワンプッシュ係止調節可能筐体１２７は、調節可能かつスライド可能に中心支柱１２３上に係止され、それから係止解除される。
２８）引き込み漏斗１２８は、関節炎患者支援中心ワンプッシュ係止調節可能筐体１２７の一方の端部に成型される。
２９）ボタントンネル１２９は、関節炎患者支援中心ワンプッシュ係止調節可能筐体１２７の外面から内面まで成型される。
３０）関節炎患者支援テーパ状楔ボタン１３０は、ボタントンネル１２９の中にスナップ嵌めされる。
３１）折り畳み可能調節可能中心トラス１３１は、それぞれ、折り畳み可能上部トラス１０７ａに旋回可能にボルト留めされ、
それぞれ、関節炎患者支援中心ワンプッシュ係止調節可能筐体１２７に旋回可能にボルト留めされ、
それぞれ、該調節可能中心キャノピ１２２に取り付けられる。
３２）関節炎患者支援多機能係止フック滑車軸車輪キャスタシステム１３２は、その構成要素の組み合わせられた接続を有する。
３３）旋回ねじ山付きキャスタピン１３３は、それぞれ、４つの下側支柱１１９の底部端にねじ式でまたは別様に取り付けられ、滑車軸および係止車輪ブレース１３８に取り付けられる。
３４）関節炎患者支援車輪係止ばね負荷ロープループフック１３４ａは、それぞれ、滑車軸および係止車輪ブレース１３８に旋回可能に接続または成型される。
車輪ギヤ１３４ｂは、それぞれ、大型衝撃吸収係止車輪１４０に接続される。
ペグばね１３４ｃは、それぞれ、滑車軸および係止車輪ブレース１３８内にばね式挿入される。
ギヤ係止ペグ１３４ｄは、それぞれ、滑車軸および係止車輪ブレース１３８を通してスライド可能に挿入される。
３５）ロープ誘導孔１３５は、それぞれ、滑車軸および係止車輪ブレース１３８の中に削孔される。
３６）ロープ１３６は、それぞれ、ロープ誘導孔１３５のうちの少なくとも１つに通され、
それぞれ、関節炎患者支援車輪係止ばね負荷ロープループフック１３４ａまたは関節炎患者支援支柱高さ調節ばね負荷ロープループフック１１７のうちの少なくとも１つに引っ掛けられる。
３７）ロープループ端部１３７は、それぞれ、ロープ１３６の一方の端部に織り込まれる。
３８）滑車軸および係止車輪ブレース１３８は、それぞれ、旋回ねじ山付きキャスタピン１３３に接続される。
３９）関節炎患者支援滑車軸１３９は、それぞれ、滑車軸および係止車輪ブレース１３８に、それらの間で取り付けられる。
４０）大型衝撃吸収係止車輪１４０は、それぞれ、関節炎患者支援滑車軸１３９に回転可能に取り付けられる。
【００７２】
（機能）
図１２Ａ、図１２Ｂ、図１２Ｃ、図１２Ｄ、図１３、図１４、図１５Ａ、図１５Ｂ、図１６、図１７Ａ、図１７Ｂ、図１７Ｃ、図１７Ｄ、図１７Ｅ、図１７Ｆ、図１７Ｇ、図１８Ａ、図１８Ｂ、図１８Ｃ、図１８Ｄ、図１８Ｅ、図１９Ａ、および図１９Ｂを参照すると、
【００７３】
１）関節炎患者支援支柱センタリング・ダニ防止・水排出・折り畳み可能風および煙向け直し調節可能リングキャノピシステム１０１は、その構成要素の組み合わせられた機能を実施するためのものである。
２）調節可能リングキャノピ１０２は、
ａ）天候要素からユーザを保護するためのカバーを提供し、
ｂ）調節可能リングキャノピ１０２の上方の風および煙を１人展開用調節可能中心キャノピ・調節可能リングキャノピ・単一中心内面関節炎患者支援ロール可能ワンタッチポップアップの内側に向け直し、
ｃ）１人展開用調節可能中心キャノピ・調節可能リングキャノピ・単一中心内面関節炎患者支援ロール可能ワンタッチポップアップの下から外にかつ離れるように流動するように風および煙を向け直し、
ｄ）光が１人展開用調節可能中心キャノピ・調節可能リングキャノピ・単一中心内面関節炎患者支援ロール可能ワンタッチポップアップの内側に入り込むことを可能にするためのものである。
３）中心交差部分１０３は、折り畳み可能上部トラス１０７ａに折り畳み可能に取り付けるためのものである。
４）交差部分孔１０４は、それぞれ、それを通してボルト１０５をねじ込むためのものである。
５）ボルト１０５は、それぞれ、中心交差部分１０３、折り畳み可能上部トラス１０７ａ、上部トラスコネクタ１０７ｂ、折り畳み可能コーナートラス１０８、折り畳み可能側面トラス１０９、４つの上側コーナー交差部分１１１、４つの下側コーナー交差部分１１３、関節炎患者支援中心ワンプッシュ係止調節可能筐体１２７、および折り畳み可能調節可能中心トラス１３１を一緒に取り付けるためのものである。
６）ナット１０６は、それぞれ、ボルト１０５を固定するためのものである。
７）折り畳み可能上部トラス１０７ａは、それぞれ、中心交差部分１０３を支持するためのものである。
上部トラスコネクタ１０７ｂは、それぞれ、折り畳み可能上部トラス１０７ａを旋回可能に結合するためのものである。
８）折り畳み可能コーナートラス１０８は、それぞれ、折り畳み可能上部トラス１０７ａを旋回可能に支持するためのものである。
９）折り畳み可能側面トラス１０９は、それぞれ、折り畳み可能上部トラス１０７ａを支持するためのものである。
１０）トラス孔１１０は、それぞれ、それを通してボルト１０５を挿入するためのものである。
１１）４つの上側コーナー交差部分１１１は、それぞれ、折り畳み可能上部トラス１０７ａ、折り畳み可能コーナートラス１０８、および折り畳み可能側面トラス１０９を４つの上側支柱１１２に取り付けるためのものである。
１２）４つの上側支柱１１２は、それぞれ、４つの下側支柱１１９の上をスライド可能にスライドするためのものである。
１３）４つの下側コーナー交差部分１１３は、それぞれ、折り畳み可能側面トラス１０９を４つの上側支柱１１２にスライド可能に取り付けるためのものである。
１４）４つのスリーブ１１４ａは、それぞれ、４つの上側支柱１１２と４つの下側支柱１１９とが互いにこすり合うことを防止するためのものである。
支柱センタリングクランプ１１４ｂは、それぞれ、４つの上側支柱１１２の内側に４つの下側支柱１１９を中心に置くためのものである（図８Ｅおよび図１５Ｂ参照）。
１５）ダニ防止下向き歯１１５は、それぞれ、４つの上側支柱１１２および４つの下側支柱１１９の内側にダニが入ることを防止するためのものである（図８Ｅおよび図１５Ｂ参照）。
１６）水排出溝１１６は、それぞれ、水が矢印１４９の方向において４つの上側支柱１１２および４つの下側支柱１１９から外に排出されることを可能にするためのものである（図８Ｅおよび図１５Ｂ参照）。
１７）関節炎患者支援支柱高さ調節ばね負荷ロープループフック１１７は、それぞれ、
ａ）４つの支柱高さ調節ニップル１１８を支柱高さ調節孔１２２の中に押し、４つの上側支柱１１２を４つの下側支柱１１９に固定し、
ｂ）矢印１４８ａおよび１４８ｂの方向において、関節炎を伴う人が、関節炎患者支援支柱高さ調節ばね負荷ロープループフック１１７を押すために自身の指を使用することを要求しない能力を可能にするために、追加のてこの作用を提供するためのものである（図１５Ａ参照）。
１８）４つの支柱高さ調節ニップル１１８は、それぞれ、支柱高さ調節孔１２０の中にスナップ係止し、４つの上側支柱１１２を４つの下側支柱１１９に固定するためのものである。
１９）４つの下側支柱１１９は、それぞれ、調節可能中心キャノピ・調節可能外周キャノピ・調節可能オーニング単一中心内面正方形係止ポップアップの高さを調節するためのものである。
２０）支柱高さ調節孔１２０は、それぞれ、４つの支柱高さ調節ニップル１１８がそれを通してスナップ係止することを可能にし、４つの上側支柱１１２を４つの下側支柱１１９に固定するためのものである。
２１）関節炎患者支援中心内面係止・風および煙向け直し調節可能中心キャノピシステム１２１は、その構成要素の組み合わせられた機能を実施するためのものである。
２２）調節可能中心キャノピ１２２は、
ａ）１人展開用調節可能中心キャノピ・調節可能リングキャノピ・単一中心内面関節炎患者支援ロール可能ワンタッチポップアップの中心を覆い、
ｂ）矢印１５６ａ、１５６ｂ、１５６ｃ、１５６ｄ、１５７ａ、１５７ｂ、１５７ｃ、および１５７ｄの方向において調節可能リングキャノピ１０２の上方の風および煙を１人展開用調節可能中心キャノピ・調節可能リングキャノピ・単一中心内面関節炎患者支援ロール可能ワンタッチポップアップの内側に向け直し（図１９Ａおよび図１９Ｂ参照）、
ｃ）矢印１５６ａ、１５６ｂ、１５６ｃ、１５６ｄ、１５７ａ、１５７ｂ、１５７ｃ、および１５７ｄの方向において１人展開用調節可能中心キャノピ・調節可能リングキャノピ・単一中心内面関節炎患者支援ロール可能ワンタッチポップアップの下から外にかつ離れるように流動するように風および煙を向け直し（図１９Ａおよび図１９Ｂ参照）、
ｄ）光が１人展開用調節可能中心キャノピ・調節可能リングキャノピ・単一中心内面関節炎患者支援ロール可能ワンタッチポップアップの内側に入り込むことを可能にするためのものである。
２３）中心支柱１２３は、
ａ）その上に関節炎患者支援中心ワンプッシュ係止調節可能筐体１２７を係止し、
ｂ）１人展開用調節可能中心キャノピ・調節可能リングキャノピ・単一中心内面関節炎患者支援ロール可能ワンタッチポップアップがその所望の形状から時計回りに半径方向に捻じれることを防止し、
ｃ）１人展開用調節可能中心キャノピ・調節可能リングキャノピ・単一中心内面関節炎患者支援ロール可能ワンタッチポップアップがその所望の形状から反時計回りに半径方向に捻じれることを防止するためのものである。
２４）中心支柱孔１２４は、関節炎患者支援自己センタリングばね負荷筐体係止フック１２６がその中にスナップ係止することを可能にし、中心支柱１２３を中心内面係止調節可能筐体１２７および折り畳み可能調節可能中心トラス１３１に固定するためのものである。
２５）中心内面係止ばね１２５は、関節炎患者支援自己センタリングばね負荷筐体係止フック１２６を中心支柱孔１２４の中に押すためのものである。
２６）関節炎患者支援自己センタリングばね負荷筐体係止フック１２６は、関節炎患者支援中心ワンプッシュ係止調節可能筐体１２７が、中心支柱１２３の上下にスライドするとき、関節炎患者支援中心ワンプッシュ係止調節可能筐体１２７の内外にスナップ係止するためのものである（図９Ａおよび図９Ｂ参照）。
２７）関節炎患者支援中心ワンプッシュ係止調節可能筐体１２７は、
ａ）関節炎患者支援中心ワンプッシュ係止調節可能筐体１２７が、中心支柱１２３の上下にスライドするとき、関節炎患者支援自己センタリングばね負荷筐体係止フック１２６のスナップ係止をオンおよびオフにし（図９Ａおよび図９Ｂ参照）、
ｂ）中心支柱１２３を関節炎患者支援中心ワンプッシュ係止調節可能筐体１２７および折り畳み可能調節可能中心トラス１３１に、およびそれから係止および係止解除し（図９Ａおよび図９Ｂ参照）、
ｃ）ロール可能ワンタッチポップアップが、折り畳まれた後、または広げられた後、１人展開用調節可能中心キャノピ・調節可能リングキャノピ・単一中心内面関節炎患者支援ロール可能ワンタッチポップアップを係止および係止解除し、
ｄ）１人展開用調節可能中心キャノピ・調節可能リングキャノピ・単一中心内面関節炎患者支援ロール可能ワンタッチポップアップが、矢印１５１および１５２の方向において、上向きに押され、順に、４つの上側支柱１１２を外向きに押し、それらを定位置に係止すると、１人の人物によって折り畳まれることおよび広げられることを可能にするためのものである（図１７Ａ、図１７Ｂ、図１７Ｃ、図１７Ｄ、および図１７Ｅ参照）。
２８）引き込み漏斗１２８は、関節炎患者支援自己センタリングばね負荷筐体係止フック１２６を関節炎患者支援中心ワンプッシュ係止調節可能筐体１２７の内面上に引き込むためのものである。
２９）ボタントンネル１２９は、関節炎患者支援テーパ状楔ボタン１３０を格納するためのものである。
３０）関節炎患者支援テーパ状楔ボタンは、
ａ）ボタントンネル１２９から外に関節炎患者支援自己センタリングばね負荷筐体係止フック１２６を押し、
ｂ）関節炎を伴う人物が、矢印１５０の方向において、自身の指を折り畳む必要性なしに関節炎患者支援自己センタリングばね負荷筐体係止フック１２６を係合解除する能力を可能にするためのものである（図１６参照）。
３１）折り畳み可能調節可能中心トラス１３１は、それぞれ、
ａ）調節可能中心キャノピ１２２の高さを調節し、調節可能中心キャノピ１２２を上昇および下降させ、
ｂ）調節可能中心キャノピ１２２と調節可能リングキャノピ１０２との間の開口部を開放および閉鎖し、
ｃ）調節可能中心キャノピ１２２を折り畳みおよび折り畳み解除するためのものである。
３２）関節炎患者支援多機能係止フック滑車軸車輪キャスタシステム１３２は、その構成要素の組み合わせられた機能を実施するためのものである。
３３）旋回ねじ山付きキャスタピン１３３は、それぞれ、
ａ）滑車軸および係止車輪ブレース１３８を４つの下側支柱１１９のうちの少なくとも１つの底部端に係止して、ねじ式で、かつ旋回可能に取り付け、
ｂ）１人展開用調節可能中心キャノピ・調節可能リングキャノピ・単一中心内面関節炎患者支援ロール可能ワンタッチポップアップが、折り畳まれ、または完全に展開されるとき、矢印１４６ａ、１４６ｂ、および１４７の方向において任意の方向に自由に移動することを可能にするためのものである（図１４参照）。
３４）関節炎患者支援車輪係止ばね負荷ロープループフック１３４ａは、それぞれ、
ａ）大型衝撃吸収係止車輪１４０を係止し、所望されると、それらが矢印１４１および１４２の方向において転がることを防止し（図１２Ａ、図１２Ｂ、図１２Ｃ、および図１２Ｄ参照）、
ｂ）矢印１５３の方向においてその上にロープ１３６を引っ掛けるためのものである（図１８Ｂ参照）。
車輪ギヤ１３４ｂは、それぞれ、大型衝撃吸収係止車輪１４０を定位置に係止し、転がりを防止するためのものである（図１２Ｃおよび図１２Ｄ参照）。
ペグばね１３４ｃは、それぞれ、ギヤ係止ペグ１３４ｄを回転かつスライドして移動させ、ギヤ係止ペグ１３４ｄを自動的に係脱させ、大型衝撃吸収係止車輪１４０を係止解除するためのものである（図１２Ｃおよび図１２Ｄ参照）。
ギヤ係止ペグ１３４ｄは、それぞれ、車輪ギヤ１３４ｂをスライドして係合させ、
矢印１４３および１４４の方向において大型衝撃吸収係止車輪１４０を係止および係止解除するためのものである（図１２Ｃおよび図１２Ｄ参照）。
３５）ロープ誘導孔１３５は、それぞれ、
ａ）それを通してロープ１３６を螺送し（図１８Ａおよび図１８Ｂ参照）、
ｂ）滑車軸１３９を横断して斜めにロープ１３６を誘導するためのものである。
３６）ロープ１３６は、それぞれ、
ａ）矢印１５３の方向において関節炎患者支援車輪係止ばね負荷ロープループフック１３４ａのうちの少なくとも１つに引っ掛けられ（図１８Ｂ参照）、
ｂ）矢印１５４の方向において関節炎患者支援支柱高さ調節ばね負荷ロープループフック１１７のうちの少なくとも１つに引っ掛けられ（図１８Ｃ参照）、
ｃ）矢印１５５の方向において滑車軸１３９の周囲に螺送されるためのものである（図１８Ｄ参照）。
３７）ロープループ端部１３７は、それぞれ、
ａ）矢印１５３の方向において関節炎患者支援車輪係止ばね負荷ロープループフック１３４ａのうちの少なくとも１つに引っ掛けられ（図１８Ｂ参照）、
ｂ）矢印１５４の方向において関節炎患者支援支柱高さ調節ばね負荷ロープループフック１１７のうちの少なくとも１つに引っ掛けられるためのものである（図１８Ｃ参照）。
３８）滑車軸および係止車輪ブレース１３８は、それぞれ、滑車軸１３９を旋回ねじ山付きキャスタピン１３３に取り付けるためのものである。
３９）滑車軸１３９は、それぞれ、
ａ）ロープ１３６をその上に巻きつけるための滑車として機能し、ロープ１３６を引っ張り、調節可能リングキャノピ１０２を引き伸ばすために必要とされるロープ引っ張り力を低減させ（図１８Ｄ参照）、
ｂ）大型衝撃吸収係止車輪１４０をその上に回転可能に取り付けるように巻きつけるための車軸として機能するためのものである。
４０）大型衝撃吸収係止車輪１４０は、それぞれ、
ａ）車輪として機能し、
関節炎患者支援１人展開用調節可能中心キャノピ・調節可能リングキャノピ・ロール可能中心ワンプッシュ係止ポップアップが輸送および保管のために地面または硬い表面に沿って転がされることを可能にし（図１４参照）、
ｂ）車輪として機能し、
関節炎患者支援１人展開用調節可能中心キャノピ・調節可能リングキャノピ・ロール可能中心ワンプッシュ係止ポップアップが砂地の地形に沿って転がされることを可能にし（図１４参照）、
ｃ）車輪として機能し、
関節炎患者支援１人展開用調節可能中心キャノピ・調節可能リングキャノピ・ロール可能中心ワンプッシュ係止ポップアップが凸凹である、および／または平らではない地形上で転がされることを可能にし（図１Ｆ、図１Ｇ、図１７Ｆ、および図１７Ｇ参照）、
ｄ）車輪として機能し、
関節炎患者支援１人展開用調節可能中心キャノピ・調節可能リングキャノピ・ロール可能中心ワンプッシュ係止ポップアップが２つの大型衝撃吸収係止車輪１４０上で後方に傾けられ、矢印１４５ａおよび１４５ｂの方向において地面の上で転がされることを可能にするためのものである（図１３参照）。
【００７４】
（変形例）
関節炎患者支援１人展開用調節可能中心キャノピ・調節可能リングキャノピ・ロール可能中心ワンプッシュ係止ポップアップの任意の構成要素は、任意の形状およびサイズを有することができる。関節炎患者支援１人展開用調節可能中心キャノピ・調節可能リングキャノピ・ロール可能中心ワンプッシュ係止ポップアップの任意の構成要素は、同等の構成要素と置換されることができる。関節炎患者支援１人展開用調節可能中心キャノピ・調節可能リングキャノピ・ロール可能中心ワンプッシュ係止ポップアップの任意の構成要素は、任意の材料または任意の材料の任意の組み合わせから作製されることができる。関節炎患者支援１人展開用調節可能中心キャノピ・調節可能リングキャノピ・ロール可能中心ワンプッシュ係止ポップアップの任意の構成要素は、任意の可撓性、半可撓性、曲げ可能、半曲げ可能、延伸可能、半延伸可能、剛体、または半剛体材料から作製されることができる。関節炎患者支援１人展開用調節可能中心キャノピ・調節可能リングキャノピ・ロール可能中心ワンプッシュ係止ポップアップの任意の構成要素取り付け方法は、同等の方法と置換されることができる。例えば、図２０Ａおよび２０Ｂは、その折り畳み位置における関節炎患者支援１人展開用調節可能中心キャノピ・調節可能リングキャノピ・ロール可能中心ワンプッシュ係止ポップアップの同等の変形例の側面図を図示する。例えば、図２１Ａ、図２１Ｂ、図２１Ｃ、および図２１Ｄは、２つおよび／または４つの多機能関節炎患者支援係止フック滑車軸車輪キャスタシステム１３２を有する関節炎患者支援１人展開用調節可能中心キャノピ・調節可能リングキャノピ・ロール可能中心ワンプッシュ係止ポップアップの同等の変形例の側面図および斜視図を図示する。例えば、図２２Ａ、図２２Ｂ、図２２Ｃ、および図２２Ｄは、その含まれる要素を伴う関節炎患者支援中心ワンプッシュ係止調節可能筐体１２７の同等の変形例の側面図、断面図、および斜視図を図示する。例えば、図２３Ａ、図２３Ｂ、図２３Ｃ、図２３Ｄ、図２３Ｅ、および図２３Ｆは、関節炎患者支援テーパ状楔ボタン１３０の同等の変形例の側面図、上面図、後面図、正面図、および斜視図を図示する。例えば、図２４Ａ、図２４Ｂ、図２４Ｃ、および図２４Ｄは、中心支柱１２３および関節炎患者支援自己センタリングばね負荷筐体係止フック１２６の同等の変形例の斜視図、断面図、および側面図を図示する。例えば、図２５は、関節炎患者支援支柱高さ調節ばね負荷ロープループフック１１７の同等の変形例の斜視図を図示する。例えば、図２６は、多機能関節炎患者支援係止フック滑車軸車輪キャスタシステム１３２の同等の変形例の斜視図を図示する。
【００７５】
（本発明の主要な利点）
本発明は、従来技術の従来の概念および設計から実質的に逸脱する。そうすることで、本発明は、以下のように、従来技術の全ての不利点を克服する多くの独特かつ有意な特徴、機能、および利点を有する関節炎患者支援１人展開用調節可能中心キャノピ・調節可能リングキャノピ・ロール可能中心ワンプッシュ係止ポップアップを提供する。
【００７６】
１）新しい発明の目的は、調節可能リングキャノピ１０２と、調節可能中心キャノピ１２２とを有する関節炎患者支援１人展開用調節可能中心キャノピ・調節可能リングキャノピ・ロール可能中心ワンプッシュ係止ポップアップを提供することである。
したがって、関節炎患者支援１人展開用調節可能中心キャノピ・調節可能リングキャノピ・ロール可能中心ワンプッシュ係止ポップアップは、
ａ）日よけを占有者に提供し、日焼けを防止することができる。
ｂ）関節炎患者支援１人展開用調節可能中心キャノピ・調節可能リングキャノピ・ロール可能中心ワンプッシュ係止ポップアップの内外への空気流を増加させるために上下に調節され、占有者を涼しい状態に保つことができる。
ｃ）関節炎患者支援１人展開用調節可能中心キャノピ・調節可能リングキャノピ・ロール可能中心ワンプッシュ係止ポップアップから外への空気流に役立ち、関節炎患者支援１人展開用調節可能中心キャノピ・調節可能リングキャノピ・ロール可能中心ワンプッシュ係止ポップアップからの煙の退出を支援することができる。
ｄ）雨保護を提供し、占有者を乾燥した状態に保つことができる。
２）新しい発明の別の目的は、関節炎患者支援中心ワンプッシュ係止調節可能筐体１２７、を有する関節炎患者支援１人展開用調節可能中心キャノピ・調節可能リングキャノピ・ロール可能中心ワンプッシュ係止ポップアップを提供することである。
したがって、１人展開用調節可能中心キャノピ・調節可能リングキャノピ・単一中心内面関節炎患者支援ロール可能ワンタッチポップアップは、
ａ）中心支柱１２３を残りのキャノピ構造にスナップ係止し、関節炎患者支援１人展開用調節可能中心キャノピ・調節可能リングキャノピ・ロール可能中心ワンプッシュ係止ポップアップの全体的強度を高めることができる。
ｂ）キャノピを一緒に係止し、関節炎患者支援１人展開用調節可能中心キャノピ・調節可能リングキャノピ・ロール可能中心ワンプッシュ係止ポップアップが折り畳まれることを防止することができる。
ｃ）係止点の合計数を減少させ、設営をより容易にすることができる。
３）新しい発明の別の目的は、大型衝撃吸収係止車輪１４０を有する関節炎患者支援１人展開用調節可能中心キャノピ・調節可能リングキャノピ・ロール可能中心ワンプッシュ係止ポップアップを提供することである。
したがって、関節炎患者支援１人展開用調節可能中心キャノピ・調節可能リングキャノピ・ロール可能中心ワンプッシュ係止ポップアップは、
ａ）ロープ１３６を通すための滑車として使用されキャノピを堅く締めることができる。
ｂ）折り畳まれた構成にあるとき、地面に沿って関節炎患者支援１人展開用調節可能中心キャノピ・調節可能リングキャノピ・ロール可能中心ワンプッシュ係止ポップアップを転がすために使用され、輸送をより容易にすることができる。
ｃ）完全に起立させられているとき、関節炎患者支援１人展開用調節可能中心キャノピ・調節可能リングキャノピ・ロール可能中心ワンプッシュ係止ポップアップを移動させることを支援するために使用され、関節炎患者支援１人展開用調節可能中心キャノピ・調節可能リングキャノピ・ロール可能中心ワンプッシュ係止ポップアップを再配置することに役立つことができる。
ｄ）凸凹である、および／または平らではない地形上で関節炎患者支援１人展開用調節可能中心キャノピ・調節可能リングキャノピ・ロール可能中心ワンプッシュ係止ポップアップを転がすために使用され、より多くの場所において関節炎患者支援１人展開用調節可能中心キャノピ・調節可能リングキャノピ・ロール可能中心ワンプッシュ係止ポップアップを再配置することに役立つことができる。
４）新しい発明のさらなる目的は、ダニ防止下向き歯１１５、を有する関節炎患者支援１人展開用調節可能中心キャノピ・調節可能リングキャノピ・ロール可能中心ワンプッシュ係止ポップアップを提供することである。
したがって、関節炎患者支援１人展開用調節可能中心キャノピ・調節可能リングキャノピ・ロール可能中心ワンプッシュ係止ポップアップは、
ａ）ダニが４つの上側支柱１１２および４つの下側支柱１１９の内側に入ることを防止し、占有者を疾患から保護することができる。
ｂ）天候要素が４つの上側支柱１１２および４つの下側支柱１１９の内側で起こることを防止することに役立ち、関節炎患者支援１人展開用調節可能中心キャノピ・調節可能リングキャノピ・ロール可能中心ワンプッシュ係止ポップアップのさびを防止し、その寿命を増加させることに役立つことができる。
ｃ）排水を支援し、さびを防止することに役立つことができる。
ｄ）追加の構造を４つのスリーブ１１４ａに提供し、４つの上側支柱１１２および４つの下側支柱１１９の強度を高めることができる。
５）新しい発明の一層さらなる目的は、支柱センタリングクランプ１１４ｂを有する関節炎患者支援１人展開用調節可能中心キャノピ・調節可能リングキャノピ・ロール可能中心ワンプッシュ係止ポップアップを提供することである。
したがって、関節炎患者支援１人展開用調節可能中心キャノピ・調節可能リングキャノピ・ロール可能中心ワンプッシュ係止ポップアップは、
ａ）４つの上側支柱１１２内で４つの下側支柱１１９を中心に置き、組立および分解に役立つことができる。
ｂ）ダニが４つの上側支柱１１２および４つの下側支柱１１９の中に進入することを防ぐことに役立ち、占有者を保護することができる。
ｃ）追加の強度および安定性を４つの上側支柱１１２および４つの下側支柱１１９に提供し、占有者を安全に保ち、関節炎患者支援１人展開用調節可能中心キャノピ・調節可能リングキャノピ・ロール可能中心ワンプッシュ係止ポップアップの寿命を増加させることができる。
ｄ）４つの上側支柱１１２および４つの下側支柱１１９が結束することを防ぎ、関節炎患者支援１人展開用調節可能中心キャノピ・調節可能リングキャノピ・ロール可能中心ワンプッシュ係止ポップアップを上下に調節することに役立つことができる。
６）新しい発明の別の目的は、中心支柱１２３を有する関節炎患者支援１人展開用調節可能中心キャノピ・調節可能リングキャノピ・ロール可能中心ワンプッシュ係止ポップアップを提供することである。
したがって、関節炎患者支援１人展開用調節可能中心キャノピ・調節可能リングキャノピ・ロール可能中心ワンプッシュ係止ポップアップは、
ａ）側方強度を関節炎患者支援１人展開用調節可能中心キャノピ・調節可能リングキャノピ・ロール可能中心ワンプッシュ係止ポップアップに提供し、関節炎患者支援１人展開用調節可能中心キャノピ・調節可能リングキャノピ・ロール可能中心ワンプッシュ係止ポップアップが半径方向に捻じれることを防ぐことができる。
ｂ）キャノピ構造を一緒に係止し、キャノピが折り畳まれることを防止することができる。
ｃ）全体的係止点の合計数を減少させ、設営をより容易にすることができる。
７）新しい発明のまた別の目的は、関節炎患者支援自己センタリングばね負荷筐体係止フック１２６、を有する関節炎患者支援１人展開用調節可能中心キャノピ・調節可能リングキャノピ・ロール可能中心ワンプッシュ係止ポップアップを提供することである。
したがって、関節炎患者支援１人展開用調節可能中心キャノピ・調節可能リングキャノピ・ロール可能中心ワンプッシュ係止ポップアップは、
ａ）中心支柱１２３を関節炎患者支援中心ワンプッシュ係止調節可能筐体１２７の中に自動的に誘導し、設営に役立つことができる。
ｂ）関節炎患者支援自己センタリングばね負荷筐体係止フック１２６を関節炎患者支援中心ワンプッシュ係止調節可能筐体１２７に自動的に係止および中心に置き、捻じりおよび偶発的折り畳みに耐えるようにポップアップを強化することに役立つことができる。
ｃ）関節炎患者支援自己センタリングばね負荷筐体係止フック１２６を自動的に押し、中心支柱１２３の係止をより容易にすることができる。
ｄ）関節炎患者支援中心ワンプッシュ係止調節可能筐体１２７と中心支柱１２３との間により少ない摩擦を自動的に提供し、設営および調節をより容易にすることができる。
８）新しい発明のなおもまた別の目的は、水排出溝１１６、を有する関節炎患者支援１人展開用調節可能中心キャノピ・調節可能リングキャノピ・ロール可能中心ワンプッシュ係止ポップアップを提供することである。
したがって、関節炎患者支援１人展開用調節可能中心キャノピ・調節可能リングキャノピ・ロール可能中心ワンプッシュ係止ポップアップは、
ａ）水が４つの上側支柱１１２および４つの下側支柱１１９から排水されることを可能にし、４つの上側支柱１１２および４つの下側支柱１１９がさびることを防止することができる。
ｂ）水が支柱の中に入ることを防止し、関節炎患者支援１人展開用調節可能中心キャノピ・調節可能リングキャノピ・ロール可能中心ワンプッシュ係止ポップアップの寿命を延長することに役立つことができる。
ｃ）虫に対して保護することに役立ち、占有者を保護することに役立つことができる。
ｄ）追加の構造を４つのスリーブ１１４ａに提供し、４つの上側支柱１１２および４つの下側支柱１１９の強度を高めることができる。
９）新しい発明のなおもさらなる目的は、関節炎患者支援支柱高さ調節ばね負荷ロープループフック１１７を有する関節炎患者支援１人展開用調節可能中心キャノピ・調節可能リングキャノピ・ロール可能中心ワンプッシュ係止ポップアップを提供することである。
したがって、関節炎患者支援１人展開用調節可能中心キャノピ・調節可能リングキャノピ・ロール可能中心ワンプッシュ係止ポップアップは、
ａ）４つの支柱高さ調節ニップル１１８を係止および解放し、関節炎患者支援１人展開用調節可能中心キャノピ・調節可能リングキャノピ・ロール可能中心ワンプッシュ係止ポップアップの高さを調節することができる。
ｂ）ロープループ端部１３７のためのフックとして使用され、設営の選択肢を提供することができる。
ｃ）指を曲げる必要性を伴わずに押すことを可能にするように関節炎を患う人によって使用され、関節炎を伴う人のために設営をより痛みの少ないものにすることができる。
１０）新しい発明のなおもさらなる目的は、４つのスリーブ１１４ａ、を有する関節炎患者支援１人展開用調節可能中心キャノピ・調節可能リングキャノピ・ロール可能中心ワンプッシュ係止ポップアップを提供することである。
したがって、関節炎患者支援１人展開用調節可能中心キャノピ・調節可能リングキャノピ・ロール可能中心ワンプッシュ係止ポップアップは、
ａ）４つの上側支柱１１２と４つの下側支柱１１９とが互いにこすり合うことを防止し、早期の摩耗またはさびを防止することができる。
ｂ）４つの上側支柱１１２と４つの下側支柱１１９との間の摩擦を最小化し、上昇および下降をより容易にすることができる。
ｃ）４つの上側支柱１１２および４つの下側支柱１１９の露出させられた接合部を保護し、さびを防止し、寿命を増加させることができる。
ｄ）４つの上側支柱１１２および４つの下側支柱１１９を一緒に接合し、支柱のための追加の強度および支持を提供することができる。
１１）新しい発明のなおもさらなる目的は、ロープ誘導孔１３５、を有する関節炎患者支援１人展開用調節可能中心キャノピ・調節可能リングキャノピ・ロール可能中心ワンプッシュ係止ポップアップを提供することである。
したがって、関節炎患者支援１人展開用調節可能中心キャノピ・調節可能リングキャノピ・ロール可能中心ワンプッシュ係止ポップアップは、
ａ）それを通してロープ１３６を通すために使用され、滑車軸またはフックのいずれかとともに使用することができる。
ｂ）関節炎患者支援滑車軸１３９を横断して斜めにロープ１３６を誘導するために使用され、からまりを防止することができる。
ｃ）ロープ滑車として使用され、関節炎患者支援滑車軸１３９およびロープ１３６とともに使用されることができる。
ｄ）ロープ１３６のための結んで留める場所として使用され、ロープ１３６および関節炎患者支援滑車軸１３９のためのカスタマイズ選択肢を増加させることができる。
１２）新しい発明のなおもさらなる目的は、関節炎患者支援車輪係止ばね負荷ロープループフックを有する関節炎患者支援１人展開用調節可能中心キャノピ・調節可能リングキャノピ・ロール可能中心ワンプッシュ係止ポップアップを提供することである。
したがって、関節炎患者支援１人展開用調節可能中心キャノピ・調節可能リングキャノピ・ロール可能中心ワンプッシュ係止ポップアップは、
ａ）関節炎患者支援車輪係止ばね負荷ロープループフック１３４ａにキャノピロープ１３６を引っ掛け、ロープ１３６および全てのキャノピを係止し、ポップアップが、斜面上に設営されるとき、それらがスリップすることを防ぐことができる。
ｂ）大型衝撃吸収係止車輪１４０を係止し、ポップアップが、斜面上に設営されるとき、キャノピが移動することを防ぐことに役立つことができる。
ｃ）大型衝撃吸収係止車輪１４０を係止解除し、所望されると、キャノピを移動させることに役立つことができる。
ｄ）大型衝撃吸収係止車輪１４０を係止解除し、キャノピが、折り畳まれるとき、キャノピを移動させることに役立つことができる。
１３）新しい発明のなおもさらなる目的は、関節炎患者支援滑車軸１３９、を有する関節炎患者支援１人展開用調節可能中心キャノピ・調節可能リングキャノピ・ロール可能中心ワンプッシュ係止ポップアップを提供することである。
したがって、関節炎患者支援１人展開用調節可能中心キャノピ・調節可能リングキャノピ・ロール可能中心ワンプッシュ係止ポップアップは、
ａ）ロープのための滑車としての機能を果たし、ロープ１３６および全てのキャノピを係止し、それらがスリップすることを防ぐことができる。
ｂ）ロープ１３６のための滑車としての機能を果たし、キャノピを起立させるために必要とされる強度の量を減少させることができる。
ｃ）大型衝撃吸収係止車輪１４０のための車軸として使用され、大型衝撃吸収係止車輪１４０が転動することを可能にすることができる。
１４）新しい発明のなおもさらなる目的は、旋回ねじ山付きキャスタピン１３３を有する関節炎患者支援１人展開用調節可能中心キャノピ・調節可能リングキャノピ・ロール可能中心ワンプッシュ係止ポップアップを提供することである。
したがって、関節炎患者支援１人展開用調節可能中心キャノピ・調節可能リングキャノピ・ロール可能中心ワンプッシュ係止ポップアップは、
ａ）関節炎患者支援多機能係止フック滑車軸車輪キャスタシステム１３２が水平軸を中心に回転することを可能にし、その大型衝撃吸収係止車輪１４０上のキャノピを移動させることを可能にすることができる。
ｂ）関節炎患者支援多機能係止フック滑車軸車輪キャスタシステム１３２が自由に回転することを可能にし、ポップアップを起立させることに役立つことができる。
ｃ）足掛けとして使用され、設営に役立ち、４つの下側支柱１１９を地面の中に差し込むことができる。
ｄ）４つの下側支柱１１９から関節炎患者支援車輪係止ばね負荷ロープループフック１３４ａにロープ１３６を引っ掛け、構造を強化し、４つの下側支柱１１９が外に曲がることを防ぐことができる。
１５）新しい発明のなおもさらなる目的は、関節炎患者支援テーパ状楔ボタン１３０を有する関節炎患者支援１人展開用調節可能中心キャノピ・調節可能リングキャノピ・ロール可能中心ワンプッシュ係止ポップアップを提供することである。
したがって、関節炎患者支援１人展開用調節可能中心キャノピ・調節可能リングキャノピ・ロール可能中心ワンプッシュ係止ポップアップは、
ａ）関節炎患者支援自己センタリングばね負荷筐体係止フック１２６を解放し、関節炎患者支援中心ワンプッシュ係止調節可能筐体１２７を係止解除し、キャノピが折り畳まれることを可能にすることができる。
ｂ）関節炎を伴う人物が、指の使用を伴わずに、関節炎患者支援自己センタリングばね負荷筐体係止フック１２６を係合解除する能力を可能にし、関節炎を伴う人がより少ない痛みでキャノピ折り畳むことに役立つことができる。
１６）新しい発明のなおもさらなる目的は、関節炎患者支援１人展開用調節可能中心キャノピ・調節可能リングキャノピ・ロール可能中心ワンプッシュ係止ポップアップを提供することである。
したがって、関節炎患者支援１人展開用調節可能中心キャノピ・調節可能リングキャノピ・ロール可能中心ワンプッシュ係止ポップアップは、
ａ）４つの旋回車を伴う旅行鞄のように迅速かつ容易に移動させられることができる。
ｂ）迅速かつ容易なワンプッシュ係止設営を行うことができる。
ｃ）４つの旋回車上の４つの車輪ロックによって確実に係止されることができる。
ｄ）１人の人物によって迅速かつ容易に起立させられることができる。
ｅ）１人の人物によって迅速かつ容易に折り畳まれることができる。
ｆ）１人の人物によって迅速かつ容易に任意の方向に離れるように転がされることができる。
ｇ）１人の人物によって迅速かつ容易に３６０度回転させられることができる。
【図１Ａ】
2021535296.tif 000003
【図１Ｂ】
2021535296.tif 000004
【図１Ｃ】
2021535296.tif 000005
【図１Ｄ】
2021535296.tif 000006
【図１Ｅ】
2021535296.tif 000007
【図１Ｆ】
2021535296.tif 000008
【図１Ｇ】
2021535296.tif 000009
【図１Ｈ】
2021535296.tif 000010
【図１Ｉ】
2021535296.tif 000011
【図１Ｊ】
2021535296.tif 000012
【図１Ｋ】
2021535296.tif 000013
【図１Ｌ】
2021535296.tif 000014
【図１Ｍ】
2021535296.tif 000015
【図１Ｎ】
2021535296.tif 000016
【図２Ａ】
2021535296.tif 000017
【図２Ｂ】
2021535296.tif 000018
【図３Ａ】
2021535296.tif 000019
【図３Ｂ】
2021535296.tif 000020
【図４】
2021535296.tif 000021
【図５Ａ】
2021535296.tif 000022
【図５Ｂ】
2021535296.tif 000023
【図５Ｃ】
2021535296.tif 000024
【図６Ａ】
2021535296.tif 000025
【図６Ｂ】
2021535296.tif 000026
【図６Ｃ】
2021535296.tif 000027
【図７】
2021535296.tif 000028
【図８Ａ】
2021535296.tif 000029
【図８Ｂ】
2021535296.tif 000030
【図８Ｃ】
2021535296.tif 000031
【図８Ｄ】
2021535296.tif 000032
【図８Ｅ】
2021535296.tif 000033
【図９Ａ】
2021535296.tif 000034
【図９Ｂ】
2021535296.tif 000035
【図９Ｃ】
2021535296.tif 000036
【図９Ｄ】
2021535296.tif 000037
【図９Ｅ】
2021535296.tif 000038
【図１０Ａ】
2021535296.tif 000039
【図１０Ｂ】
2021535296.tif 000040
【図１１Ａ】
2021535296.tif 000041
【図１１Ｂ】
2021535296.tif 000042
【図１１Ｃ】
2021535296.tif 000043
【図１２Ａ】
2021535296.tif 000044
【図１２Ｂ】
2021535296.tif 000045
【図１２Ｃ】
2021535296.tif 000046
【図１２Ｄ】
2021535296.tif 000047
【図１３】
2021535296.tif 000048
【図１４】
2021535296.tif 000049
【図１５Ａ】
2021535296.tif 000050
【図１５Ｂ】
2021535296.tif 000051
【図１６】
2021535296.tif 000052
【図１７Ａ】
2021535296.tif 000053
【図１７Ｂ】
2021535296.tif 000054
【図１７Ｃ】
2021535296.tif 000055
【図１７Ｄ】
2021535296.tif 000056
【図１７Ｅ】
2021535296.tif 000057
【図１７Ｆ】
2021535296.tif 000058
【図１７Ｇ】
2021535296.tif 000059
【図１８Ａ】
2021535296.tif 000060
【図１８Ｂ】
2021535296.tif 000061
【図１８Ｃ】
2021535296.tif 000062
【図１８Ｄ】
2021535296.tif 000063
【図１８Ｅ】
2021535296.tif 000064
【図１９Ａ】
2021535296.tif 000065
【図１９Ｂ】
2021535296.tif 000066
【図２０Ａ】
2021535296.tif 000067
【図２０Ｂ】
2021535296.tif 000068
【図２１Ａ】
2021535296.tif 000069
【図２１Ｂ】
2021535296.tif 000070
【図２１Ｃ】
2021535296.tif 000071
【図２１Ｄ】
2021535296.tif 000072
【図２２Ａ】
2021535296.tif 000073
【図２２Ｂ】
2021535296.tif 000074
【図２２Ｃ】
2021535296.tif 000075
【図２２Ｄ】
2021535296.tif 000076
【図２３Ａ】
2021535296.tif 000077
【図２３Ｂ】
2021535296.tif 000078
【図２３Ｃ】
2021535296.tif 000079
【図２３Ｄ】
2021535296.tif 000080
【図２３Ｅ】
2021535296.tif 000081
【図２３Ｆ】
2021535296.tif 000082
【図２４Ａ】
2021535296.tif 000083
【図２４Ｂ】
2021535296.tif 000084
【図２４Ｃ】
2021535296.tif 000085
【図２４Ｄ】
2021535296.tif 000086
【図２５】
2021535296.tif 000087
【図２６】
2021535296.tif 000088
【国際調査報告】
2021535296.tif 000089